(57)【要約】  本開示は、セルのサポートするネットワーキングタイプを決定する方法及び装置を提供し、該方法は、ＳＩＢ１の関連情報及び／又はターゲットセルのサポートするネットワーキングタイプを示す第１の指示情報を含む前記ターゲットセルの測定報告を受信することと、前記ＳＩＢ１の関連情報及び／又は前記第１の指示情報に基づいて、前記ターゲットセルのサポートするネットワーキングタイプを決定することと、を含む。
2021534622.tif 000002
【特許請求の範囲】
【請求項１】
ネットワーク装置に適用される、セルのサポートするネットワーキングタイプを決定する方法であって、
システム情報ブロック１  ＳＩＢ１の関連情報及び／又はターゲットセルのサポートするネットワーキングタイプを示す第１の指示情報を含む前記ターゲットセルの測定報告を受信することと、
前記ＳＩＢ１の関連情報及び／又は前記第１の指示情報に基づいて、前記ターゲットセルのサポートするネットワーキングタイプを決定することと、
を含む、セルのサポートするネットワーキングタイプを決定する方法。
【請求項２】
前記測定報告は、第１のビット情報及び／又は第２のビット情報を含む前記第１の指示情報を含み、
前記第１のビット情報は、前記ターゲットセルがスタンドアローンをサポートするか否かを示し、前記第２のビット情報は、前記ターゲットセルが非スタンドアローンをサポートするか否かを示し、
または、前記第１のビット情報は、前記ターゲットセルが非スタンドアローンをサポートするか否かを示し、前記第２のビット情報は、前記ターゲットセルがスタンドアローンをサポートするか否かを示す、請求項１に記載の方法。
【請求項３】
前記第１の指示情報に基づいて、前記ターゲットセルのサポートするネットワーキングタイプを決定することは、
前記第１のビット情報の値が第１の値であり、及び／又は前記第２のビット情報の値が第２の値である場合、前記ターゲットセルがスタンドアローンをサポートすると決定することと、
前記第１のビット情報の値が第２の値であり、及び／又は前記第２のビット情報の値が第１の値である場合、前記ターゲットセルが非スタンドアローンをサポートすると決定することと、
前記第１のビット情報の値が第１の値であり、かつ前記第２のビット情報の値が第１の値である場合、前記ターゲットセルが非スタンドアローンとスタンドアローンをサポートすると決定することと、
前記第１のビット情報の値が第２の値であり、かつ前記第２のビット情報の値が第２の値である場合、前記ターゲットセルが第１のタイプをサポートすると決定することと、
ここで、前記第１のタイプのセルがブロードキャストするシステム情報にはＳＩＢ１が含まれておらず、
のうちのいずれか１項を少なくとも含む、請求項２に記載の方法。
【請求項４】
前記測定報告は、ＳＩＢ１の関連情報を含み、
前記ＳＩＢ１の関連情報に基づいて、前記ターゲットセルのサポートするネットワーキングタイプを決定することは、
前記ＳＩＢ１の関連情報がＳＩＢ１における内容が完全であることを示す場合、前記ターゲットセルがスタンドアローンをサポートすると決定することと、
前記ＳＩＢ１の関連情報がＳＩＢ１における内容が不完全であることを示す場合、前記ターゲットセルが非スタンドアローンをサポートすると決定することと、
のうちのいずれか１項を少なくとも含む、請求項１に記載の方法。
【請求項５】
前記測定報告は、ＳＩＢ１の関連情報と、第３のビット情報を含む第１の指示情報とを含み、
前記システム情報及び第１の情報に基づいて、前記ターゲットセルのサポートするネットワーキングタイプを決定することは、
前記ＳＩＢ１の関連情報がＳＩＢ１における内容が完全であることを示し、かつ前記第３のビット情報の値が第３の値である場合、前記ターゲットセルがスタンドアローンと非スタンドアローンをサポートすると決定することを少なくとも含む、請求項１に記載の方法。
【請求項６】
端末装置に適用される、セルのサポートするネットワーキングタイプを決定する方法であって、
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定することを含み、
前記第１の指示情報は、前記ターゲットセルのサポートするネットワーキングタイプを示す、セルのサポートするネットワーキングタイプを決定する方法。
【請求項７】
前記測定報告は、第１のビット情報及び／又は第２のビット情報を含む第１の指示情報を含み、
前記第１のビット情報は、前記ターゲットセルがスタンドアローンをサポートするか否かを示し、前記第２のビット情報は、前記ターゲットセルが非スタンドアローンをサポートするか否かを示し、
または、
前記第１のビット情報は、前記ターゲットセルが非スタンドアローンをサポートするか否かを示し、前記第２のビット情報は、前記ターゲットセルがスタンドアローンをサポートするか否かを示す、請求項６に記載の方法。
【請求項８】
前記第１のビット情報の値が第１の値であり、及び／又は前記第２のビット情報の値が第２の値である場合、前記ターゲットセルがスタンドアローンをサポートすることを示し、
前記第１のビット情報の値が第２の値であり、及び／又は前記第２のビット情報の値が第１の値である場合、前記ターゲットセルが非スタンドアローンをサポートすることを示し、
前記第１のビット情報の値が第１の値であり、かつ前記第２のビット情報の値が第１の値である場合、前記ターゲットセルが非スタンドアローンとスタンドアローンをサポートすることを示し、
前記第１のビット情報の値が第２の値であり、かつ前記第２のビット情報の値が第２の値である場合、前記ターゲットセルが第１のタイプをサポートすることを示し、
ここで、前記第１のタイプのセルがブロードキャストするシステム情報にはＳＩＢ１が含まれていない、請求項７に記載の方法。
【請求項９】
前記測定報告は、ＳＩＢ１の関連情報を含み、
前記ＳＩＢ１の関連情報がＳＩＢ１における内容が完全であることを示す場合、前記ターゲットセルがスタンドアローンをサポートすることを示し、
前記ＳＩＢ１の関連情報がＳＩＢ１における内容が不完全であることを示す場合、前記ターゲットセルが非スタンドアローンをサポートすることを示す、請求項６に記載の方法。
【請求項１０】
前記測定報告は、前記ＳＩＢ１の関連情報と、第３のビット情報を含む第１の指示情報とを含み、
前記ＳＩＢ１の関連情報がＳＩＢ１における内容が完全であることを示し、かつ前記第３のビット情報の値が第３の値である場合、前記ターゲットセルがスタンドアローンと非スタンドアローンをサポートすることを示す、請求項６に記載の方法。
【請求項１１】
ネットワーク装置に適用される、セルのサポートするネットワーキングタイプを決定する方法であって、
端末装置から送信されたＳＩＢ１の関連情報を受信すると、前記ターゲットセルに接続確立要求を送信することと、
前記ネットワーク装置と前記ターゲットセルとの接続確立に失敗した場合、前記ターゲットセルがスタンドアローンをサポートすると決定することと、を含み、または、
前記ターゲットセルから前記接続確立要求に応答する、前記ターゲットセルのサポートするネットワーキングタイプを示す第２の指示情報を含む第１のメッセージを受信することと、
前記第２の指示情報に基づいて、前記ターゲットセルのサポートするネットワーキングタイプを決定することと、を含む、セルのサポートするネットワーキングタイプを決定する方法。
【請求項１２】
前記ネットワーク装置と前記ターゲットセルとの接続確立に失敗した場合、前記ターゲットセルから第２のメッセージを受信することをさらに含み、
前記第２のメッセージは、前記ターゲットセルがスタンドアローンをサポートすることを指示する、接続確立の失敗原因の関連情報を含む、請求項１１に記載の方法。
【請求項１３】
前記ネットワーク装置と前記ターゲットセルとの接続確立に失敗した場合、前記接続確立要求に応答せず、かつ前記ターゲットセルがスタンドアローンをサポートすることを通知することをさらに含み、または、
前記ネットワーク装置と前記ターゲットセルとの接続確立に失敗した場合、前記接続確立要求に応答しないことをさらに含む、請求項１１に記載の方法。
【請求項１４】
前記第２の指示情報は、第３のビット情報及び／又は第４のビット情報を含み、
前記第３のビット情報は、前記ターゲットセルがスタンドアローンをサポートするか否かを示し、前記第４のビット情報は、前記ターゲットセルが非スタンドアローンをサポートするか否かを示し、
または、
前記第３のビット情報は、前記ターゲットセルが非スタンドアローンをサポートするか否かを示し、前記第４のビット情報は、前記ターゲットセルがスタンドアローンをサポートするか否かを示す、請求項１１に記載の方法。
【請求項１５】
前記第２の指示情報に基づいて、前記ターゲットセルのサポートするネットワーキングタイプを決定することは、
前記第３のビット情報の値が第１の値であり、及び／又は前記第４のビット情報の値が第２の値である場合、前記ターゲットセルがスタンドアローンをサポートすると決定することと、
前記第３のビット情報の値が第２の値であり、及び／又は前記第４のビット情報の値が第１の値である場合、前記ターゲットセルが非スタンドアローンをサポートすると決定することと、
前記第３のビット情報の値が第１の値であり、かつ前記第４のビット情報の値が第１の値である場合、前記ターゲットセルが非スタンドアローンとスタンドアローンをサポートすると決定することと、
前記第３のビット情報の値が第２の値であり、かつ前記第４のビット情報の値が第２の値である場合、前記ターゲットセルが第２のタイプをサポートすると決定することと、
ここで、前記第２のタイプのセルがブロードキャストするシステム情報にはＳＩＢ１が含まれておらず、
のうちのいずれか１項を少なくとも含む、請求項１４に記載の方法。
【請求項１６】
端末装置に適用される、セルのサポートするネットワーキングタイプを決定する方法であって、
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定することと、を含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定することと、を含む、セルのサポートするネットワーキングタイプを決定する方法。
【請求項１７】
前記第２の指示情報は、第３のビット情報及び／又は第４のビット情報を含み、
前記第３のビット情報は、前記ターゲットセルがスタンドアローンをサポートするか否かを示し、前記第４のビット情報は、前記ターゲットセルが非スタンドアローンをサポートするか否かを示し、
または、
前記第３のビット情報は、前記ターゲットセルが非スタンドアローンをサポートするか否かを示し、前記第４のビット情報は、前記ターゲットセルがスタンドアローンをサポートするか否かを示す、請求項１６に記載の方法。
【請求項１８】
前記第３のビット情報の値が第１の値であり、及び／又は前記第４のビット情報の値が第２の値である場合、前記ターゲットセルがスタンドアローンをサポートすることを示し、
前記第３のビット情報の値が第２の値であり、及び／又は前記第４のビット情報の値が第１の値である場合、前記ターゲットセルが非スタンドアローンをサポートすることを示し、
前記第３のビット情報の値が第１の値であり、かつ前記第４のビット情報の値が第１の値である場合、前記ターゲットセルが非スタンドアローンとスタンドアローンをサポートすることを示し、
前記第３のビット情報の値が第２の値であり、かつ前記第４のビット情報の値が第２の値である場合、前記ターゲットセルが第２のタイプをサポートすることを示し、
ここで、前記第２のタイプのセルがブロードキャストするシステム情報にはＳＩＢ１が含まれていない、請求項１７に記載の方法。
【請求項１９】
ＳＩＢ１の関連情報及び／又はターゲットセルのサポートするネットワーキングタイプを示す第１の指示情報を含む前記ターゲットセルの測定報告を受信する第３の受信モジュールと、
前記ＳＩＢ１の関連情報及び／又は前記第１の指示情報に基づいて、前記ターゲットセルのサポートするネットワーキングタイプを決定する第２の決定モジュールと、を含む、ネットワーク装置。
【請求項２０】
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定する第３の送信モジュールを含み、
前記第１の指示情報は、前記ターゲットセルのサポートするネットワーキングタイプを示す、端末装置。
【請求項２１】
端末装置から送信されたＳＩＢ１の関連情報を受信すると、前記ターゲットセルに接続確立要求を送信する第４の送信モジュールと、
前記ネットワーク装置と前記ターゲットセルとの接続確立に失敗した場合、前記ターゲットセルがスタンドアローンをサポートすると決定する第３の決定モジュールと、を含み、
または、
前記ターゲットセルから前記接続確立要求に応答する、前記ターゲットセルのサポートするネットワーキングタイプを示す第２の指示情報を含む第１のメッセージを受信する第４の受信モジュールと、
前記第２の指示情報に基づいて、前記ターゲットセルのサポートするネットワーキングタイプを決定する第４の決定モジュールと、を含む、ネットワーク装置。
【請求項２２】
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定する第５の送信モジュールを含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから前記接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定する第６の送信モジュールを含む、端末装置。
【請求項２３】
プロセッサと、メモリと、前記メモリに格納されて前記プロセッサで実行可能なコンピュータプログラムとを含むネットワーク装置であって、
前記プログラムが前記プロセッサによって実行されると、請求項１〜５のいずれか１項に記載のセルのサポートするネットワーキングタイプを決定する方法、又は請求項１１〜１５のいずれか１項に記載のセルのサポートするネットワーキングタイプを決定する方法が実現される、ネットワーク装置。
【請求項２４】
プロセッサと、メモリと、前記メモリに格納されて前記プロセッサで実行可能なコンピュータプログラムとを含む端末装置であって、
前記プログラムが前記プロセッサによって実行されると、請求項６〜１０のいずれか１項に記載のセルのサポートするネットワーキングタイプを決定する方法、又は請求項１６〜１８のいずれか１項に記載のセルのサポートするネットワーキングタイプを決定する方法が実現される、端末装置。
【請求項２５】
コンピュータプログラムが格納されているコンピュータ読み取り可能な記憶媒体であって、
前記コンピュータプログラムがプロセッサによって実行されると、請求項１〜１８のいずれか１項に記載のセルのサポートするネットワーキングタイプを決定する方法が実現される、コンピュータ読み取り可能な記憶媒体。
【発明の詳細な説明】
【技術分野】
【０００１】
（関連出願の相互参照）
本願は、２０１８年８月７日に提出された中国特許出願第２０１８１０８９３４１９．２号の優先権を主張するものであり、その全ての内容は参照により本願に組み込まれるものとする。
本開示の実施例は、通信の技術分野に関し、具体的  には、セルのサポートするネットワーキングタイプを決定する方法及び装置に関する。
【背景技術】
【０００２】
第５世代移動通信技術（ｆｉｆｔｈ  ｇｅｎｅｒａｔｉｏｎ、５Ｇ）の新たな無線技術（Ｎｅｗ  Ｒａｄｉｏ、ＮＲ）システムでは、ロングタームエボリューション（Ｌｏｎｇ  Ｔｉｍｅ  Ｅｖｏｌｕｔｉｏｎ、ＬＴＥ）システム又は進化型ロングタームエボリューション（Ｅｖｏｌｖｅｄ  Ｌｏｎｇ  Ｔｅｒｍ  Ｅｖｏｌｕｔｉｏｎ、ｅＬＴＥ）システム及びＮＲヘテロジニアスシステムの展開シーンにおいて、ＬＴＥ又はｅＬＴＥ基地局は、端末装置がＮＲセルを測定する測定報告を設定することができる。ＮＲセルの展開状況に応じて、ＮＲセルのサポートするネットワーキングタイプは、以下の（１）〜（３）を含む。
【０００３】
（１）非スタンドアローン（Ｎｏｎ−Ｓｔａｎｄ  Ａｌｏｎｅ、ＮＳＡ）について
ＮＲセルは、５Ｇコアネットワークに接続されておらず、すなわち、ＮＲセルにおいてネットワークを独立して展開することができない。
【０００４】
セルにおいて、進化型ユニバーサル地上無線アクセス（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ、Ｅ−ＵＴＲＡ）−ＮＲデュアルコネクティビティ（ＥＮ−ＤＣ）又は次世代無線アクセスネットワーク（Ｎｅｘｔ  Ｇｅｎｅｒａｔｉｏｎ  Ｒａｄｉｏ  Ａｃｃｅｓｓ  Ｎｅｔｗｏｒｋｓ、ＮＧ−ＲＡＮ）Ｅ−ＵＴＲＡ−ＮＲデュアルコネクティビティ（ＮＧＥＮ−ＤＣ）、例えば、ＬＴＥ−ＮＲ又はｅＬＴＥ−ＮＲデュアルコネクティビティのみが行われ、ＬＴＥ又はｅＬＴＥ基地局がマスタノードであり、ＮＲ基地局がセカンダリノードである。セルシステム情報において、ＮＳＡセルは、システム情報ブロック１（Ｓｙｓｔｅｍ  Ｉｎｆｏｒｍａｔｉｏｎ  Ｂｌｏｃｋ１、ＳＩＢ１）をブロードキャストしなくてよい。
【０００５】
（２）スタンドアローン（Ｓｔａｎｄ  Ａｌｏｎｅ、ＳＡ）について
ＮＲセルは、５Ｇコアネットワークに接続されており、すなわち、ＮＲセルにおいてネットワークを独立して展開することができ、すなわち、スタンドアローン（Ｓｔａｎｄ  Ａｌｏｎｅ、ＳＡ）である。セルシステム情報において、ＳＡセルは、ＳＩＢ１をブロードキャストしなければならない。
【０００６】
（３）ＳＡとＮＳＡ（ＳＡ＋ＮＳＡ）について
ＮＲセルのサポートするネットワーキングタイプは、ＳＡとＮＳＡ（ＳＡ＋ＮＳＡ）であってよい。セルシステム情報において、ＳＡセルとＮＳＡセルは、ＳＩＢ１をブロードキャストしなければならない。
【０００７】
したがって、端末装置がＮＲセルの測定報告を報告する場合、ＬＴＥ又はｅＬＴＥ基地局が端末装置の報告したＮＲセルの測定報告からＮＲセルのＳＩＢ１を読み取れなければ、ＬＴＥ又はｅＬＴＥ基地局は、該ＮＲセルがあくまでも１つのＮＳＡセルであることを知る。ＬＴＥ又はｅＬＴＥ基地局は、該ＮＲセルとデュアルコネクティビティのインタフェースしか確立することができないことを知る。
【０００８】
しかしながら、端末装置がＮＲセルの測定報告を報告する場合、端末装置の報告したＮＲセルの測定報告にＮＲセルのＳＩＢ１情報が含まれていると、ＬＴＥ又はｅＬＴＥ基地局は、該ＮＲセルがＮＳＡ又はＳＡ又はＳＡとＮＳＡをサポートしているかを判断することができないため、該ＮＲセルとどのような隣接セル関係を確立しているかを決定することができない
【発明の概要】
【発明が解決しようとする課題】
【０００９】
本開示の実施例は、セルのサポートするネットワーキングタイプを決定する方法及び装置を提供し、どのようにセルのサポートするネットワーキングタイプを決定するかという問題を解決することを目的の一とする。
【課題を解決するための手段】
【００１０】
第１の態様では、ネットワーク装置に適用される、セルのサポートするネットワーキングタイプを決定する方法は、
ＳＩＢ１の関連情報及び／又はターゲットセルのサポートするネットワーキングタイプを示す第１の指示情報を含む前記ターゲットセルの測定報告を受信することと、
前記ＳＩＢ１の関連情報及び／又は前記第１の指示情報に基づいて、前記ターゲットセルのサポートするネットワーキングタイプを決定することと、
を含む。
【００１１】
第２の態様では、端末装置に適用される、セルのサポートするネットワーキングタイプを決定する方法は、
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定することを含み、
前記第１の指示情報は、前記ターゲットセルのサポートするネットワーキングタイプを示す。
【００１２】
第３の態様では、ネットワーク装置に適用される、セルのサポートするネットワーキングタイプを決定する方法は、
端末装置から送信されたＳＩＢ１の関連情報を受信すると、前記ターゲットセルに接続確立要求を送信することと、
前記ネットワーク装置と前記ターゲットセルとの接続確立に失敗した場合、前記ターゲットセルがスタンドアローンをサポートすると決定することと、を含み、または、
前記ターゲットセルから前記接続確立要求に応答する、前記ターゲットセルのサポートするネットワーキングタイプを示す第２の指示情報を含む第１のメッセージを受信することと、
前記第２の指示情報に基づいて、前記ターゲットセルのサポートするネットワーキングタイプを決定することと、を含む。
【００１３】
第４の態様では、端末装置に適用される、セルのサポートするネットワーキングタイプを決定する方法であって、
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定すること、を含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定すること、を含む。
【００１４】
第５の態様では、ネットワーク装置は、
ＳＩＢ１の関連情報及び／又はターゲットセルのサポートするネットワーキングタイプを示す第１の指示情報を含む前記ターゲットセルの測定報告を受信する第３の受信モジュールと、
前記ＳＩＢ１の関連情報及び／又は前記第１の指示情報に基づいて、前記ターゲットセルのサポートするネットワーキングタイプを決定する第２の決定モジュールと、を含む。
【００１５】
第６の態様では、端末装置は、
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定する第３の送信モジュールを含み、
前記第１の指示情報は、前記ターゲットセルのサポートするネットワーキングタイプを示す。
【００１６】
第７の態様では、ネットワーク装置は、
端末装置から送信されたＳＩＢ１の関連情報を受信すると、前記ターゲットセルに接続確立要求を送信する第４の送信モジュールと、
前記ネットワーク装置と前記ターゲットセルとの接続確立に失敗した場合、前記ターゲットセルがスタンドアローンをサポートすると決定する第３の決定モジュールと、を含み、
または、
前記ターゲットセルから前記接続確立要求に応答する、前記ターゲットセルのサポートするネットワーキングタイプを示す第２の指示情報を含む第１のメッセージを受信する第４の受信モジュールと、
前記第２の指示情報に基づいて、前記ターゲットセルのサポートするネットワーキングタイプを決定する第４の決定モジュールと、を含む。
【００１７】
第８の態様では、端末装置は、
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定する第５の送信モジュールを含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから前記接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定する第６の送信モジュールを含む。
【００１８】
第９の態様では、ネットワーク装置は、
プロセッサと、メモリと、前記メモリに格納されて前記プロセッサで実行可能なコンピュータプログラムとを含み、
前記プログラムが前記プロセッサによって実行されると、第１の態様に記載のセルのサポートするネットワーキングタイプを決定する方法、又は第３の態様に記載のセルのサポートするネットワーキングタイプを決定する方法が実現される。
【００１９】
第１０の態様では、端末装置は、
プロセッサと、メモリと、前記メモリに格納されて前記プロセッサで実行可能なコンピュータプログラムとを含み、
前記プログラムが前記プロセッサによって実行されると、第２の態様に記載のセルのサポートするネットワーキングタイプを決定する方法、又は第４の態様に記載のセルのサポートするネットワーキングタイプを決定する方法が実現される。
【００２０】
第１１の態様では、コンピュータプログラムが格納されているコンピュータ読み取り可能な記憶媒体は、
前記コンピュータプログラムがプロセッサによって実行されると、第１の態様、第２の態様、第３の態様又は第４の態様に記載のセルのサポートするネットワーキングタイプを決定する方法が実現される。
【００２１】
本開示の実施例では、セルのサポートするネットワーキングタイプを決定することができ、事業者がネットワークの隣接セル関係をより良好に計画する上で有利である。
【００２２】
以下の好ましい実施形態の詳細な説明を読むことにより、他の様々な利点及び利益は当業者にとって明かになる。図面は、好ましい実施形態を示すことのみを目的とするものであり、本開示を限定するものと解釈されるべきではない。また、図面全体において、同じ参照符号は同じ部材を示す。
【図面の簡単な説明】
【００２３】
【図１】本開示の実施例に係る無線通信システムのアーキテクチャの概略図である。
【図２】本開示の実施例に係るセルのサポートするネットワーキングタイプを決定する方法のフローチャートその１である。
【図３】本開示の実施例に係るセルのサポートするネットワーキングタイプを決定する方法のフローチャートその２である。
【図４】本開示の実施例に係るセルのサポートするネットワーキングタイプを決定する方法のフローチャートその３である。
【図５】本開示の実施例に係るセルのサポートするネットワーキングタイプを決定する方法のフローチャートその４である。
【図６】本開示の実施例に係るセルのサポートするネットワーキングタイプを決定する方法のフローチャートその５である。
【図７】本開示の実施例に係るセルのサポートするネットワーキングタイプを決定する方法のフローチャートその６である。
【図８】本開示の実施例に係るネットワーク装置の構成図その１である。
【図９】本開示の実施例に係る端末装置の構成図その１である。
【図１０】本開示の実施例に係るネットワーク装置の構成図その２である。
【図１１】本開示の実施例に係る端末装置の構成図その２である。
【図１２】本開示の実施例に係るネットワーク装置の構成図その３である。
【図１３】本開示の実施例に係る端末装置の構成図その３である。
【図１４】本開示の実施例に係るネットワーク装置の構成図その４である。
【図１５】本開示の実施例に係る端末装置の構成図その４である。
【発明を実施するための形態】
【００２４】
以下、本開示の実施例における図面を参照しながら、本開示の実施例における技術手段を明確かつ完全に説明する。明らかに、説明される実施例は、本開示の実施例の一部であり、全てではない。本開示の実施例に基づいて、当業者が創造的な労働をしない前提で得られる他の全ての実施例は、いずれも本開示の保護範囲に属するものである。
【００２５】
本開示の実施例をよりよく理解するために、まず、以下の技術的内容を説明する。隣接セルを自動的に追加するために、サービング基地局が端末装置から報告された測定報告を受信する場合、報告された測定結果に未知セル（物理セル識別子（Ｐｈｙｓｉｃａｌ  Ｃｅｌｌ  Ｉｄｅｎｔｉｆｉｅｒ、ＰＣＩ）が未知のＰＣＩである）の測定結果が含まれていることを発見すると、基地局は、端末装置を選択して測定設定（ＲＲＣ＿ＣＯＮＮ＿ＲＥＣＦＧ）メッセージを再発行確立し、変更するか又は解放し、端末装置に上記未知セルのセルグローバル識別子（Ｃｅｌｌ  Ｇｌｏｂａｌ  Ｉｄｅｎｔｉｆｉｅｒ、ＣＧＩ）、トラッキングエリアコード（Ｔｒａｃｋｉｎｇ  Ａｒｅａ  Ｃｏｄｅ、ＴＡＣ）、公衆陸上移動体ネットワーク（Ｐｕｂｌｉｃ  Ｌａｎｄ  Ｍｏｂｉｌｅ  Ｎｅｔｗｏｒｋ、ＰＬＭＮ）などの情報を測定するように指示してよい。
【００２６】
端末装置は、上記セルのＣＧＩ、ＴＡＣ、ＰＬＭＮなどの情報の読み取りに成功すると、基地局に報告する。基地局は、端末装置から報告されたＣＧＩ、ＴＡＣ、ＰＬＭＮなどの情報を受信すると、該セルを隣接セルとして自動的に追加することができる。隣接セルの追加機能に関して、隣接セルとＸ２インタフェース又はＸｎインタフェース又はＸ２＋Ｘｎインタフェースを確立する必要がある。
【００２７】
本願の明細書及び特許請求の範囲における用語「含む」及びその任意の変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、製品又は装置に固有の、他のステップ又はユニットを含んでよい。また、明細書及び特許請求の範囲において使用される「及び／又は」は、接続している対象の少なくとも１つを表し、例えば、Ａ及び／又はＢは、Ａのみが存在すること、Ｂのみが存在すること、Ａ及びＢの両方が存在すること、の３つの場合を表す。
【００２８】
本開示の実施例では、「例示的」又は「例えば」などの用語は、例、例証又は例示として表すためのものである。本開示の実施例で「例示的」又は「例えば」と説明される任意の実施例又は設計案は、他の実施例又は設計案よりも好ましい又は有利であると解釈されるべきではない。具体的には、使用される「例示的」又は「例えば」などの用語は、関連する概念を具体的に提示することを目的とする。
【００２９】
本明細書で説明される技術は、ロングタームエボリューション（Ｌｏｎｇ  Ｔｉｍｅ  Ｅｖｏｌｕｔｉｏｎ、ＬＴＥ）／ＬＴＥ進化型（ＬＴＥ−Ａｄｖａｎｃｅｄ、ＬＴＥ−Ａ）システムに限定されず、符号分割多元接続（Ｃｏｄｅ  Ｄｉｖｉｓｉｏｎ  Ｍｕｌｔｉｐｌｅ  Ａｃｃｅｓｓ、ＣＤＭＡ）、時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、シングルキャリア周波数分割多元接続（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ、ＳＣ−ＦＤＭＡ）、及びその他のシステムなどの様々な無線通信システムに用いられてよい。「システム」と「ネットワーク」という用語は、常に互換的に使用されている。ＣＤＭＡシステムは、ＣＤＭＡ２０００、ユニバーサル地上無線アクセス（Ｕｎｉｖｅｒｓａｌ  Ｔｅｒｒｅｓｔｒｉａｌ  Ｒａｄｉｏ  Ａｃｃｅｓｓ、ＵＴＲＡ）などの無線技術を実現することができる。ＵＴＲＡは、広帯域ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ(登録商標)）及びその他のＣＤＭＡ変形態を含む。ＴＤＭＡシステムは、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）などの無線技術を実現することができる。ＯＦＤＭＡシステムは、ウルトラモバイルブロードバンド（Ｕｌｔｒａ−Ｍｏｂｉｌｅ  Ｂｒｏａｄｂａｎｄ、ＵＭＢ）、進化型ＵＴＲＡ（Ｅｖｏｌｕｔｉｏｎ−ＵＴＲＡ、Ｅ−ＵＴＲＡ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実現することができる。ＵＴＲＡ及びＥ−ＵＴＲＡは、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）の一部である。ＬＴＥと、より高度なＬＴＥ（例えばＬＴＥ−Ａ）は、Ｅ−ＵＴＲＡを使用する新しいＵＭＴＳバージョンである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ、３ＧＰＰ）という名称の組織からの文書において記載されている。ＣＤＭＡ２０００及びＵＭＢは、「第３世代パートナーシッププロジェクト２」（３ＧＰＰ２）という名称の組織からの文書において記載されている。
【００３０】
本明細書で説明される技術は、上述したシステム及び無線技術に用いられてもよく、その他のシステム及び無線技術に用いられてもよい。しかしながら、これらの技術はＮＲシステムの応用例以外にも応用可能であるが、以下の説明は、例示を目的にＮＲシステムについて説明し、以下の説明の多くにおいてＮＲ用語が使用されている。
【００３１】
以下、図面を参照しながら、本開示の実施例を説明する。本開示の実施例に係るセルのサポートするネットワーキングタイプを決定する方法及び装置は、無線通信システムに適用できる。図１を参照して、本開示の実施例に係る無線通信システムのアーキテクチャ概略図である。図１に示すように、該無線通信システムは、ネットワーク装置１０及び端末装置１１を含んでよく、例えば、端末装置は、ＵＥ（Ｕｓｅｒ  Ｅｑｕｉｐｍｅｎｔ）１１と表記され、ＵＥ１１は、ネットワーク装置１０と通信する（シグナリング又はデータを伝送する）ことができる。実際の応用において、上記各装置間の接続は、無線接続であってよく、各装置間の接続関係を簡単かつ直感的に表すために、図において実線で示す。なお、上記通信システムは、複数のＵＥ１１を含んでよく、ネットワーク装置１０は、複数のＵＥ１１と通信することができる。
【００３２】
本開示の実施例に係る端末装置は、携帯電話、タブレットコンピュータ、ノートブックコンピュータ、ウルトラモバイルパーソナルコンピュータ（Ｕｌｔｒａ−Ｍｏｂｉｌｅ  Ｐｅｒｓｏｎａｌ  Ｃｏｍｐｕｔｅｒ、ＵＭＰＣ）、ネットブック又はパーソナルデジタルアシスタント（Ｐｅｒｓｏｎａｌ  Ｄｉｇｉｔａｌ  Ａｓｓｉｓｔａｎｔ、ＰＤＡ）、モバイルインターネット装置（Ｍｏｂｉｌｅ  Ｉｎｔｅｒｎｅｔ  Ｄｅｖｉｃｅ、ＭＩＤ）、ウェアラブル装置（Ｗｅａｒａｂｌｅ  Ｄｅｖｉｃｅ）又は車載装置などであってよい。
【００３３】
本開示の実施例に係るネットワーク装置１０は、基地局であってよく、該基地局は、一般的に使用される基地局であってもよく、進化型基地局（ｅｖｏｌｖｅｄ  ｎｏｄｅ  ｂａｓｅ  ｓｔａｔｉｏｎ、ｅＮＢ）であってもよく、さらに５Ｇシステムにおけるネットワーク装置（例えば、次世代基地局（ｎｅｘｔ  ｇｅｎｅｒａｔｉｏｎ  ｎｏｄｅ  ｂａｓｅ  ｓｔａｔｉｏｎ、ｇＮＢ）又は送受信ポイント（ｔｒａｎｓｍｉｓｓｉｏｎ  ａｎｄ  ｒｅｃｅｐｔｉｏｎ  ｐｏｉｎｔ、ＴＲＰ））などの装置であってもよい。
【００３４】
図２を参照して、本開示の実施例に係るセルのサポートするネットワーキングタイプを決定する方法は、実行主体がネットワーク装置であってよく、具体的には、以下のステップ２０１〜ステップ２０２を含む。
【００３５】
ステップ２０１では、端末装置からターゲットセルの測定報告を受信する。
【００３６】
ここで、ターゲットセルは、ＮＲセルであってよい。ネットワーク装置は、ＬＴＥ基地局又はｅＬＴＥ基地局であってよく、本開示の実施例のシーンは、ＬＴＥ又はｅＬＴＥ及びＮＲヘテロジニアスシステムの展開シーンであってよく、もちろん、これらに限定されるものではない。
【００３７】
ステップ２０２では、測定報告にＳＩＢ１の関連情報が含まれている場合、ターゲットセルがスタンドアローン（ＳＡ）をサポートすると決定する。
【００３８】
ここで、ＳＩＢ１の関連情報は、ＳＩＢ１における内容が不完全であることを示してよい。
【００３９】
例えば、ＳＩＢ１にＡ、Ｂ及びＣが含まれ、測定報告のＳＩＢ１がＡ及びＣのみ、又はＡ及びＢのみ、又はＢ及びＣのみを含む場合、該ＳＩＢ１における内容は不完全である。
【００４０】
本開示の実施例では、好ましくは、ステップ２０１又はステップ２０２の前、或いはステップ２０１又はステップ２０２の後、或いはステップ２０１又はステップ２０２の実行時に、該方法は、ＳＩＢ１をブロードキャストしないことを指示する第１のメッセージを送信するステップをさらに含んでよい。
【００４１】
なお、本開示の実施例では、ＮＲシステムにおいて、ＮＳＡのセルがＳＩＢ１をブロードキャストせず、すなわち、ＳＩＢ１をブロードキャストするＮＲセルのタイプがＳＡにしかならず、ＮＲセルのタイプが同時にＳＡとＮＳＡとはならないというように制限することができる。このように、ネットワーク装置は、端末装置のＮＲセルの測定報告に基づいて、ＮＲセルのサポートするネットワーキングタイプがＳＡ又はＮＳＡであるかを即座に判断することができる。
【００４２】
本開示の実施例では、ネットワーク装置は、測定報告に基づいてＮＲセルのサポートするネットワーキングタイプがＳＡ又はＮＳＡであることを決定することができ、事業者がネットワークの隣接セル関係をより良好に計画する上で有利である。
【００４３】
図３を参照して、本開示の実施例に係るセルのサポートするネットワーキングタイプを決定する方法は、実行主体が端末装置であってよく、具体的には、以下のステップ３０１を含む。
【００４４】
ステップ３０１では、ターゲットセルの測定報告をネットワーク装置に送信し、測定報告にＳＩＢ１の関連情報が含まれている場合、上記ターゲットセルがスタンドアローン（ＳＡ）をサポートすることを示す。
【００４５】
ここで、ＳＩＢ１の関連情報は、ＳＩＢ１における内容が不完全であることを示してよい。
【００４６】
ここで、ターゲットセルは、ＮＲセルであってよい。ネットワーク装置は、ＬＴＥ基地局又はｅＬＴＥ基地局であってよく、本開示の実施例のシーンは、ＬＴＥ又はｅＬＴＥ及びＮＲヘテロジニアスシステムの展開シーンであってよく、もちろん、これらに限定されるものではない。
【００４７】
本開示の実施例では、好ましくは、ステップ３０１の前、或いはステップ３０１の後、或いはステップ３０１の実行時に、該方法は、ＳＩＢ１をブロードキャストしないことを指示する第１のメッセージをネットワーク装置から受信するステップをさらに含んでよい。
【００４８】
なお、本開示の実施例では、ＮＲシステムにおいて、ＮＳＡのセルがＳＩＢ１をブロードキャストせず、すなわち、ＳＩＢ１をブロードキャストするＮＲセルのタイプがＳＡにしかならず、ＮＲセルのタイプが同時にＳＡとＮＳＡとはならないというように制限することができる。このように、ネットワーク装置は、端末装置のＮＲセルの測定報告に基づいて、ＮＲセルのタイプがＳＡ又はＮＳＡであるかを即座に判断することができる。
【００４９】
本開示の実施例では、ネットワーク装置は、測定報告に基づいてＮＲセルのサポートするネットワーキングタイプがＳＡ又はＮＳＡであることを決定することができ、事業者がネットワークの隣接セル関係をより良好に計画する上で有利である。
【００５０】
図４を参照して、本開示の実施例に係るセルのサポートするネットワーキングタイプを決定する方法は、実行主体がネットワーク装置であってよく、具体的には、以下のステップ４０１〜ステップ４０２を含む。
【００５１】
ステップ４０１では、端末装置からＳＩＢ１の関連情報及び／又はターゲットセルのサポートするネットワーキングタイプ（例えば、ＳＡ、ＮＳＡ又はＳＡ＋ＮＳＡなど）を示す第１の指示情報を含む、ターゲットセルの測定報告を受信し、
なお、測定報告におけるＳＩＢ１の関連情報を、残存最小システム情報（Ｒｅｍａｉｎｉｎｇ  ｍｉｎｉｍｕｍ  ｓｙｓｔｅｍ  ｉｎｆｏｒｍａｔｉｏｎ、ＲＭＳＩ）の関連情報に置き換えてよく、すなわち、測定報告に含まれる内容は、ＲＭＳＩの関連情報及び／又は第１の指示情報であってよい。
【００５２】
ここで、ターゲットセルは、ＮＲセルと呼ばれてよい。ネットワーク装置は、ＬＴＥ基地局又はｅＬＴＥ基地局であってよく、本開示の実施例のシーンは、ＬＴＥ又はｅＬＴＥ及びＮＲヘテロジニアスシステムの展開シーンであってよく、もちろん、これらに限定されるものではない。
【００５３】
ここで、ＳＩＢ１の関連情報は、ＳＩＢ１における内容が完全であるか否かを示してよい。
【００５４】
本開示の実施例では、測定報告に含まれる内容については、
（１）測定報告がＳＩＢ１の関連情報を含んでよく、
（２）測定報告が第１の指示情報を含んでよく、
（３）測定報告がＳＩＢ１の関連情報及び第１の指示情報を含んでよいという３つの状況に分けられてよい。
【００５５】
ステップ４０２では、ＳＩＢ１の関連情報及び／又は第１の指示情報に基づいて、ターゲットセルのサポートするネットワーキングタイプを決定する。
【００５６】
なお、ステップ４０２では、
第１の指示情報に基づいて、ターゲットセルのタイプを決定するという方式１と、
ＳＩＢ１の関連情報に基づいて、ターゲットセルのサポートするネットワーキングタイプを決定するという方式２と、
ＳＩＢ１の関連情報及び第１の指示情報に基づいて、ターゲットセルのサポートするネットワーキングタイプを決定するという方式３と、
の３つの方式でターゲットセルのサポートするネットワーキングタイプを決定することができる。
【００５７】
本開示の実施例では、好ましくは、測定報告は、第１のビット情報及び／又は第２のビット情報を含む第１の指示情報を含む。
【００５８】
好ましくは、第１のビット情報は、ターゲットセルがＳＡをサポートするか否かを示してよく、第２のビット情報は、ターゲットセルがＮＳＡをサポートするか否かを示してよい。または、第１のビット情報は、ターゲットセルがＮＳＡをサポートするか否かを示し、上記第２のビット情報は、ターゲットセルがＳＡをサポートするか否かを示す。
【００５９】
好ましくは、ステップ４０２における方式１は、以下の（１）〜（４）のいずれかの方式で実現されてよい。
【００６０】
（１）第１のビット情報の値が第１の値であり、及び／又は第２のビット情報の値が第２の値である場合、ターゲットセルがスタンドアローン（ＳＡ）をサポートすると決定し、
例えば、第１のビット情報の値が１であり、及び／又は第２のビット情報の値が０である場合、ターゲットセルがスタンドアローンをサポートすると決定する。
【００６１】
（２）第１のビット情報の値が第２の値であり、及び／又は第２のビット情報の値が第１の値である場合、ターゲットセルが非スタンドアローン（ＮＳＡ）をサポートすると決定し、
例えば、第１のビット情報の値が０であり、及び／又は第２のビット情報の値が１である場合、ターゲットセルが非スタンドアローンをサポートすると決定する。
【００６２】
（３）第１のビット情報の値が第１の値であり、かつ上記第２のビット情報の値が第１の値である場合、ターゲットセルが非スタンドアローンとスタンドアローン（ＳＡ＋ＮＳＡ）をサポートすると決定し、
すなわち、第１のビット情報の値と第２のビット情報の値が同じである場合、ターゲットセルが非スタンドアローンとスタンドアローンをサポートすると決定する。例えば、第１のビット情報の値が１であり、かつ第２のビット情報の値が１である場合、ターゲットセルが非スタンドアローンとスタンドアローンをサポートすると決定する。
【００６３】
（４）第１のビット情報の値が第２の値であり、かつ第２のビット情報の値が第２の値である場合、ターゲットセルが第１のタイプをサポートすると決定し、第１のタイプのセルがブロードキャストするシステム情報にＳＩＢ１（又はＲＭＳＩ）が含まれていない。
【００６４】
すなわち、第１のビット情報の値と第２のビット情報の値が同じである場合、ターゲットセルが第１のタイプをサポートすると決定する。例えば、第１のビット情報の値が０であり、かつ第２のビット情報の値が０である場合、ターゲットセルが第１のタイプをサポートすると決定する。
【００６５】
本開示の実施例では、好ましくは、測定報告は、ＳＩＢ１の関連情報を含む。
【００６６】
好ましくは、ステップ４０２における方式２は、
ＳＩＢ１の関連情報がＳＩＢ１における内容が完全であることを示す場合、ターゲットセルがスタンドアローン（ＳＡ）をサポートすると決定するという方式と、
ＳＩＢ１の関連情報がＳＩＢ１における内容が不完全であることを示す場合、ターゲットセルが非スタンドアローン（ＮＳＡ）をサポートすると決定するという方式と、
のうちのいずれかで実現されてよい。
【００６７】
好ましくは、ＳＩＢ１の内容が不完全であることは、ＳＩＢ１にＴＡＣがないことと、ＳＩＢ１にページング（ｐａｇｉｎｇ）情報がないことと、ＳＩＢ１にランダムアクセスチャネル（Ｒａｎｄｏｍ  Ａｃｃｅｓｓ  Ｃｈａｎｎｅｌ、ＲＡＣＨ）情報がないことと、のうちの少なくとも１項であってよい。
【００６８】
ＳＩＢ１がＴＡＣを含むか否かを例にとると、ＳＩＢ１にＴＡＣがない場合、ＳＩＢ１の内容が不完全であることを示し、ＳＩＢ１にＴＡＣがある場合、ＳＩＢ１の内容が完全であることを示す。例えば、ＳＩＢ１がＰＬＭＮを含むが、ＴＡＣを含まない場合、ターゲットセルはＮＳＡをサポートし、ＳＩＢ１がＰＬＭＮ及びＴＡＣを含む場合、ターゲットセルはＳＡをサポートする。
【００６９】
ＳＩＢ１がｐａｇｉｎｇ情報を含むか否かを例にとると、ＳＩＢ１にｐａｇｉｎｇ情報がない場合、ＳＩＢ１の内容が不完全であることを示し、ＳＩＢ１にｐａｇｉｎｇ情報がある場合、ＳＩＢ１の内容が完全であることを示す。例えば、ＳＩＢ１がＰＬＭＮを含むが、ｐａｇｉｎｇ情報を含まない場合、ターゲットセルはＮＳＡをサポートする。ＳＩＢ１がＰＬＭＮ及びｐａｇｉｎｇ情報を含む場合、ターゲットセルはＳＡをサポートする。
【００７０】
ＳＩＢ１がＲＡＣＨ情報を含むか否かを例にとると、ＳＩＢ１にＲＡＣＨ情報がない場合、ＳＩＢ１の内容が不完全であることを示し、ＳＩＢ１にＲＡＣＨ情報がある場合、ＳＩＢ１の内容が完全であることを示す。例えば、ＳＩＢ１がＰＬＭＮを含むが、ＲＡＣＨ情報を含まない場合、ターゲットセルはＮＳＡをサポートし、ＳＩＢ１がＰＬＭＮ及びＲＡＣＨ情報を含む場合、ターゲットセルはＳＡをサポートする。
【００７１】
なお、上記方式１及び方式２では、ＮＲセルのＳＩＢ１には、ＮＲセルがＮＳＡをサポートするか否か、又はＳＡをサポートするか否か、又はＳＡとＮＳＡをサポートするか否か、又はＮＲセルのシステム情報にＳＩＢ１（又はＲＭＳＩ）がないことを示す２つのビット（ｂｉｔ）が設定されてよく、例えば、１番目のｂｉｔの値が１又は０であり、２番目のｂｉｔの値が０又は１である。
【００７２】
（１）１番目のｂｉｔは、該ＮＲセルがＳＡをサポートするか否かを示し、２番目のｂｉｔは、該ＮＲセルがＮＳＡをサポートするか否かを示す。
【００７３】
１番目のｂｉｔと２番目のｂｉｔの値が等しい場合、ＮＲセルがＮＳＡ＋ＳＡをサポートすること、又はＮＲセルのシステム情報にＲＭＳＩがないことを示す。
【００７４】
このように、端末装置がＮＲセルの測定報告を報告する場合、ＳＩＢ１におけるｂｉｔ値に基づいて、該ＮＲセルのサポートするネットワーキングタイプがＮＳＡ、ＳＡ又はＳＡ＋ＮＳＡであるかを判断することができる。
【００７５】
（２）１番目のｂｉｔは、該ＮＲセルがＮＳＡをサポートするか否かを示し、２番目のｂｉｔは、該ＮＲセルがＳＡをサポートするか否かを示す。
【００７６】
１番目のｂｉｔと２番目のｂｉｔの値が等しい場合、ＮＲセルがＮＳＡ＋ＳＡをサポートすること、又はＮＲセルのシステム情報にＲＭＳＩがないことを示す。
【００７７】
このように、端末装置がＮＲセルの測定報告を報告する場合、元のセル基地局は、ＳＩＢ１におけるｂｉｔ値に基づいて、該ＮＲセルのサポートするネットワーキングタイプがＮＳＡ、ＳＡ又はＳＡ＋ＮＳＡであるかを判断することができる。
【００７８】
好ましくは、ステップ４０２における方式３は、以下のように実現されてよい。
【００７９】
上記測定報告は、ＳＩＢ１の関連情報と、第３のビット情報を含む第１の指示情報とを含み、該第３のビット情報は、ターゲットセルがスタンドアローンと非スタンドアローンをサポートすることを指示し、
ＳＩＢ１の関連情報がＳＩＢ１における内容が完全であることを示し、かつ第３の指示情報の値が第３の値である場合、ターゲットセルがスタンドアローンと非スタンドアローン（ＳＡ＋ＮＳＡ）をサポートすると決定する。
【００８０】
さらに、第３の指示情報は１ビット情報であってよく、例えば、第３の指示情報の値は１又は０であり、もちろん、これに限られない。該値が１又は０である第３の指示情報は、ターゲットセルのタイプがＳＡ＋ＮＳＡであることを指示することができる。
【００８１】
ＳＩＢ１がＴＡＣを含むか否かを例にとると、ＳＩＢ１にＴＡＣがない場合、ＳＩＢ１の内容が不完全であることを示し、ＳＩＢ１にＴＡＣがある場合、ＳＩＢ１の内容が完全であることを示す。例えば、ＳＩＢ１がＰＬＭＮを含むが、ＴＡＣを含まない場合、ターゲットセルはＮＳＡをサポートし、ＳＩＢ１がＰＬＭＮ及びＴＡＣを含む場合、ターゲットセルはＳＡをサポートする。ＳＩＢ１がＰＬＭＮ及びＴＡＣを含み、かつ第３の指示情報の値が１又は０である場合、ターゲットセルはＳＡ＋ＮＳＡをサポートする。
【００８２】
本開示の実施例では、ＮＲセルのサポートするネットワーキングタイプを決定することができ、事業者がネットワークの隣接セル関係をより良好に計画する上で有利である。
【００８３】
図５を参照して、本開示の実施例に係るセルのサポートするネットワーキングタイプを決定する方法は、実行主体が端末装置であってよく、具体的には、以下のステップ５０１を含む。
【００８４】
ステップ５０１では、ＳＩＢ１の関連情報及び／又は第１の指示情報を含むターゲットセルの測定報告をネットワーク装置に送信することにより、ネットワーク装置がシステム情報及び／又は第１の指示情報に基づいて、ターゲットセルのサポートするネットワーキングタイプを決定し、第１の指示情報は、ターゲットセルのサポートするネットワーキングタイプ（例えば、ＳＡ、ＮＳＡ又はＳＡ＋ＮＳＡ）を示す。
【００８５】
本開示の実施例では、好ましくは、測定報告は、第１のビット情報及び／又は第２のビット情報を含む第１の指示情報を含み、第１のビット情報は、上記ターゲットセルがスタンドアローンをサポートするか否かを示し、上記第２のビット情報は、上記ターゲットセルが非スタンドアローンをサポートするか否かを示し、または、第１のビット情報は、上記ターゲットセルが非スタンドアローンをサポートするか否かを示し、上記第２のビット情報は、上記ターゲットセルがスタンドアローンをサポートするか否かを示す。
【００８６】
本開示の実施例では、好ましくは、第１のビット情報の値が第１の値であり、及び／又は第２のビット情報の値が第２の値である場合、ターゲットセルがスタンドアローンをサポートすることを示し、
第１のビット情報の値が第２の値であり、及び／又は第２のビット情報の値が第１の値である場合、上記ターゲットセルが非スタンドアローンをサポートすることを示し、
第１のビット情報の値が第１の値であり、かつ第２のビット情報の値が第１の値である場合、ターゲットセルが非スタンドアローンとスタンドアローンをサポートすることを示し、
第１のビット情報の値が第２の値であり、かつ第２のビット情報の値が第２の値である場合、ターゲットセルが第１のタイプをサポートすることを示し、
ここで、第１のタイプのセルがブロードキャストするシステム情報にはＳＩＢ１が含まれていない。
【００８７】
本開示の実施例では、好ましくは、測定報告は、ＳＩＢ１の関連情報を含み、上記ＳＩＢ１の関連情報がＳＩＢ１における内容が完全であることを示す場合、上記ターゲットセルがスタンドアローンをサポートすると決定し、そして上記ＳＩＢ１の関連情報がＳＩＢ１における内容が不完全であることを示す場合、上記ターゲットセルが非スタンドアローンをサポートすると決定する。
【００８８】
本開示の実施例では、好ましくは、測定報告は、ＳＩＢ１の関連情報と、第３のビット情報を含む第１の指示情報とを含み、上記ＳＩＢ１の関連情報がＳＩＢ１における内容が完全であることを示し、かつ上記第３のビット情報の値が第３の値（例えば１又は０）である場合、上記ターゲットセルがスタンドアローンと非スタンドアローンをサポートすると決定する。
【００８９】
本開示の実施例では、ＮＲセルのサポートするネットワーキングタイプを決定することができ、事業者がネットワークの隣接セル関係をより良好に計画する上で有利である。
【００９０】
図６を参照して、本開示の実施例に係るセルのサポートするネットワーキングタイプを決定する方法は、実行主体がネットワーク装置であってよく、具体的には、以下のステップ６０１〜ステップ６０４を含む。
【００９１】
ステップ６０１では、端末装置から送信されたＳＩＢ１の関連情報を受信すると、上記ターゲットセルに接続確立要求を送信し、その後にステップ６０２を実行するか又はステップ６０３を実行する。
【００９２】
なお、ステップ６０１での端末装置から送信されたＳＩＢ１の関連情報を受信することは、ＳＩＢ１の内容が完全であり、またはＳＩＢ１の内容が不完全であることを示してよい。
【００９３】
ステップ６０２では、ネットワーク装置とターゲットセルとの接続確立に失敗した場合、ターゲットセルがスタンドアローンをサポートすると決定する。
【００９４】
ステップ６０３では、ターゲットセルから接続確立要求に応答する、ターゲットセルのサポートするネットワーキングタイプを示す第２の指示情報を含む第１のメッセージを受信し、その後にステップ６０４を実行する。
【００９５】
ステップ６０４では、第２の指示情報に基づいて、ターゲットセルのサポートするネットワーキングタイプを決定する。
【００９６】
本開示の実施例では、好ましくは、上記方法は、上記ネットワーク装置と上記ターゲットセルとの接続確立に失敗した場合、上記ターゲットセルから第２のメッセージを受信するステップをさらに含み、上記第２のメッセージは、上記ターゲットセルのサポートするネットワーキングタイプがスタンドアローンであることを指示する失敗原因値を含む。例えば、第２のメッセージは、Ｘ２  ＳＥＴＵＰ  ＦＡＩＬＵＲＥメッセージである。
【００９７】
本開示の実施例では、好ましくは、上記方法は、
上記ネットワーク装置と上記ターゲットセルとの接続確立に失敗した場合、上記接続確立要求に応答せず（すなわち、接続確立要求を無視する）、かつ上記ターゲットセルのサポートするネットワーキングタイプがスタンドアローンであることを通知するステップをさらに含み、または、
上記ネットワーク装置と上記ターゲットセルとの接続確立に失敗した場合、上記接続確立要求に応答しない（すなわち、接続確立要求を無視する）ステップをさらに含む。
【００９８】
本開示の実施例では、好ましくは、第２の指示情報は、第３のビット情報及び／又は第４のビット情報を含み、第３のビット情報は、上記ターゲットセルがスタンドアローンをサポートするか否かを示し、上記第４のビット情報は、上記ターゲットセルが非スタンドアローンをサポートするか否かを示し、または、上記第３のビット情報は、上記ターゲットセルが非スタンドアローンをサポートするか否かを示し、上記第４のビット情報は、上記ターゲットセルがスタンドアローンをサポートするか否かを示す。
【００９９】
好ましくは、本開示の実施例では、ステップ６０４は、以下の（１）〜（４）の方式でターゲットセルのサポートするネットワーキングタイプを決定してよい。
【０１００】
（１）第３のビット情報の値が第１の値であり、及び／又は第４のビット情報の値が第２の値である場合、ターゲットセルがスタンドアローン（ＳＡ）をサポートすると決定する。
【０１０１】
例えば、第３のビット情報の値が１であり、及び／又は第４のビット情報の値が０である場合、ターゲットセルがスタンドアローンをサポートすると決定する。
【０１０２】
（２）第３のビット情報の値が第２の値であり、及び／又は第４のビット情報の値が第１の値である場合、ターゲットセルが非スタンドアローン（ＮＳＡ）をサポートすると決定する。
【０１０３】
例えば、第３のビット情報の値が０であり、及び／又は第４のビット情報の値が１である場合、ターゲットセルが非スタンドアローンをサポートすると決定する。
【０１０４】
（３）第３のビット情報の値が第１の値であり、かつ第４のビット情報の値が第１の値である場合、ターゲットセルが非スタンドアローンとスタンドアローン（ＳＡ＋ＮＳＡ）をサポートすると決定し、
すなわち、第３のビット情報の値と第４のビット情報の値が同じである場合、ターゲットセルが非スタンドアローンとスタンドアローンをサポートすると決定する。例えば、第１のビット情報の値が１であり、かつ第２のビット情報の値が１である場合、ターゲットセルが非スタンドアローンとスタンドアローンをサポートすると決定する。
【０１０５】
（４）第３のビット情報の値が第２の値であり、かつ第４のビット情報の値が第２の値である場合、ターゲットセルが第２のタイプをサポートすると決定し、第２のタイプのセルがブロードキャストするシステム情報にＳＩＢ１（又はＲＭＳＩ）が含まれていない。
【０１０６】
すなわち、第３のビット情報の値と第４のビット情報の値が同じである場合、ターゲットセルが第１のタイプをサポートすると決定する。例えば、第１のビット情報の値が０であり、かつ第２のビット情報の値が０である場合、ターゲットセルが第１のタイプをサポートすると決定し、すなわち、ターゲットセルがブロードキャストするシステム情報にＳＩＢ１がない。
【０１０７】
本開示の実施例では、セルのサポートするネットワーキングタイプを決定することができ、事業者がネットワークの隣接セル関係をより良好に計画する上で有利である。 
【０１０８】
図７を参照して、本開示の実施例に係るセルのサポートするネットワーキングタイプを決定する方法は、実行主体が端末装置であってよく、具体的には、以下のステップ７０１〜ステップ７０２を含む。
【０１０９】
ステップ７０１では、ネットワーク装置にターゲットセルのＳＩＢ１の関連情報を送信することにより、ネットワーク装置がターゲットセルに接続確立要求を送信し、ネットワーク装置とターゲットセルとの接続確立に失敗した場合、ネットワーク装置によってターゲットセルのサポートするネットワーキングタイプがスタンドアローンであることを決定し、
または、
ステップ７０２では、ネットワーク装置にターゲットセルのＳＩＢ１の関連情報を送信することにより、ネットワーク装置がターゲットセルに接続確立要求を送信し、ネットワーク装置によってターゲットセルから接続確立要求に応答する、上記ターゲットセルのサポートするネットワーキングタイプ（ＳＡ、ＮＳＡ又はＳＡ＋ＮＳＡ）を示す第２の指示情報を含む第１のメッセージを受信し、そして、ネットワーク装置によって第２の指示情報に基づいて、ターゲットセルのサポートするネットワーキングタイプを決定する。
【０１１０】
本開示の実施例では、好ましくは、第２の指示情報は、第３のビット情報及び／又は第４のビット情報を含む。第３のビット情報は、上記ターゲットセルがスタンドアローンをサポートするか否かを示し、上記第４のビット情報は、上記ターゲットセルが非スタンドアローンをサポートするか否かを示し、または、上記第３のビット情報は、上記ターゲットセルが非スタンドアローンをサポートするか否かを示し、上記第４のビット情報は、上記ターゲットセルがスタンドアローンをサポートするか否かを示す。
【０１１１】
本開示の実施例では、（１）第３のビット情報の値が第１の値であり、及び／又は第４のビット情報の値が第２の値である場合、ターゲットセルがスタンドアローン（ＳＡ）をサポートすることを示す。
【０１１２】
例えば、第３のビット情報の値が１であり、及び／又は第４のビット情報の値が０である場合、ターゲットセルがスタンドアローンをサポートすることを示す。
【０１１３】
（２）第３のビット情報の値が第２の値であり、及び／又は第４のビット情報の値が第１の値である場合、ターゲットセルが非スタンドアローン（ＮＳＡ）をサポートすることを示す。
【０１１４】
例えば、第３のビット情報の値が０であり、及び／又は第４のビット情報の値が１である場合、ターゲットセルが非スタンドアローンをサポートすることを示す。
【０１１５】
（３）第３のビット情報の値が第１の値であり、かつ第４のビット情報の値が第１の値である場合、ターゲットセルが非スタンドアローンとスタンドアローン（ＳＡ＋ＮＳＡ）をサポートすることを示し、
すなわち、第３のビット情報の値と第４のビット情報の値が同じである場合、ターゲットセルが非スタンドアローンとスタンドアローンをサポートすると決定する。
【０１１６】
例えば、第３のビット情報の値が１であり、かつ第４のビット情報の値が１である場合、ターゲットセルが非スタンドアローンとスタンドアローンをサポートすることを示す。
【０１１７】
（４）第３のビット情報の値が第２の値であり、かつ第４のビット情報の値が第２の値である場合、ターゲットセルが第２のタイプをサポートすることを示し、第２のタイプのセルがブロードキャストするシステム情報にＳＩＢ１（又はＲＭＳＩ）が含まれていない。
【０１１８】
すなわち、第３のビット情報の値と第４のビット情報の値が同じである場合、ターゲットセルのタイプが第２のタイプであることを示す。例えば、第３のビット情報の値が０であり、かつ第４のビット情報の値が０である場合、ターゲットセルのタイプが第２のタイプであることを示す。
【０１１９】
例として、
端末装置は、ＮＲセルのＣＧＩを正常に報告し、
端末装置から報告された内容がＳＩＢ１を含まない場合、ＬＴＥ基地局は、Ｘ２インタフェース確立要求を送信してよく、または、ｅＬＴＥ基地局はＸｎインタフェース確立要求を送信してよい。
【０１２０】
端末装置から報告された内容がＳＩＢ１（例えば、ＳＩＢ１における内容が完全であるか又はＳＩＢ１における内容が不完全である）を含む場合、
（１）ＬＴＥ基地局は、Ｘ２インタフェース確立要求を送信してよく、Ｘ２インタフェース確立に失敗した場合、ＬＴＥ基地局は、ＮＲセルのタイプがＳＡであると決定し、ＥＮ−ＤＣの確立を試みない。ＮＲセルは、ＬＴＥ基地局のＸ２インタフェース確立要求を記録することができる。ＮＲセルがＮＳＡ機能もサポートする場合、該ＮＲセルは、ＬＴＥ基地局とＸ２インタフェースを能動的に確立することができ、またはＮＲセルがブロードキャストするシステム情報にはＳＩＢ１が含まれていない。
【０１２１】
さらに、Ｘ２インタフェース確立に失敗した場合、ＮＲセルは、Ｘ２インタフェース確立に失敗した失敗原因値を通知し、該失敗原因値（ｃａｕｓｅ  ｖａｌｕｅ  ｏｆ  ｆａｉｌｕｅ）は、ＮＲセルのタイプがＳＡであることを示す。
【０１２２】
さらに、Ｘ２インタフェース確立に失敗した場合、接続確立要求（例えば、Ｘ２  ＳＥＴＵＰ  ＲＥＱＵＥＳＴ）に応答せず、かつＮＲセルのタイプがＳＡであることを通知する。
【０１２３】
さらに、Ｘ２インタフェース確立に失敗した場合、接続確立要求（例えば、Ｘ２  ＳＥＴＵＰ  ＲＥＱＵＥＳＴ）に応答せず、すなわち、接続確立要求のみを無視する。
【０１２４】
（２）ｅＬＴＥ基地局は、Ｘｎインタフェース確立要求を送信し、Ｘｎインタフェース確立要求の応答メッセージには、該ＮＲセルのタイプがＳＡ、ＮＳＡ又はＳＡ＋ＮＳＡであることを指示する。例えば、応答メッセージは、２つのビットを用いてＮＲセルのタイプを指示することができる。
【０１２５】
本発明の実施例は、さらにネットワーク装置を提供し、ネットワーク装置が問題を解決する原理が、本開示の実施例におけるセルのサポートするネットワーキングタイプを決定する方法と同様であるため、該ネットワーク装置の実施は、方法の実施を参照でき、重複の説明を省略する。
【０１２６】
図８を参照して、本開示の実施例に係るネットワーク装置８００は、
端末装置からターゲットセルの測定報告を受信する第１の受信モジュール８０１と、
上記測定報告にＳＩＢ１の関連情報が含まれている場合、上記ターゲットセルのタイプがスタンドアローンであると決定する第１の決定モジュール８０２と、を含む。
【０１２７】
ここで、ＳＩＢ１の関連情報は、ＳＩＢ１における内容が不完全であることを示してよい。
【０１２８】
本開示の実施例では、好ましくは、上記ネットワーク装置は、
ＳＩＢ１をブロードキャストしないことを指示する第１のメッセージを送信する第１の送信モジュールをさらに含む。
【０１２９】
本開示の実施例に係るネットワーク装置は、上記方法の実施例を実行でき、その実現原理及び技術的効果は同様であるため、ここでは説明を省略する。
【０１３０】
本発明の実施例は、さらに端末装置を提供し、端末装置が問題を解決する原理が、本開示の実施例におけるセルのサポートするネットワーキングタイプを決定する方法と同様であるため、該端末装置の実施は、方法の実施を参照でき、重複の説明を省略する。
【０１３１】
図９を参照して、本開示の実施例に係る端末装置９００は、
ターゲットセルの測定報告をネットワーク装置に送信し、上記測定報告にＳＩＢ１の関連情報が含まれている場合、上記ターゲットセルのタイプがスタンドアローンであることを示す第２の送信モジュール９０１を含む。
【０１３２】
ここで、ＳＩＢ１の関連情報は、ＳＩＢ１における内容が不完全であることを示してよい。
【０１３３】
本開示の実施例では、好ましくは、上記端末装置は、
ＳＩＢ１をブロードキャストしないことを指示する第１のメッセージをネットワーク装置から受信する第２の受信モジュールをさらに含む。
【０１３４】
本開示の実施例に係る端末装置は、上記方法の実施例を実行でき、その実現原理及び技術的効果は同様であるため、ここでは説明を省略する。
【０１３５】
本発明の実施例は、さらにネットワーク装置を提供し、ネットワーク装置が問題を解決する原理が、本開示の実施例におけるセルのサポートするネットワーキングタイプを決定する方法と同様であるため、該ネットワーク装置の実施は、方法の実施を参照でき、重複の説明を省略する。
【０１３６】
図１０を参照して、本開示の実施例に係るネットワーク装置１０００は、
ＳＩＢ１の関連情報及び／又はターゲットセルのサポートするネットワーキングタイプを示す第１の指示情報を含む上記ターゲットセルの測定報告を端末装置から受信する第３の受信モジュール１００１と、
上記ＳＩＢ１の関連情報及び／又は上記第１の指示情報に基づいて、上記ターゲットセルのサポートするネットワーキングタイプを決定する第２の決定モジュール１００２と、を含む。
【０１３７】
本開示の実施例では、好ましくは、上記測定報告は、第１のビット情報及び／又は第２のビット情報を含む上記第１の指示情報を含み、
上記第１のビット情報は、上記ターゲットセルがスタンドアローンをサポートするか否かを示し、上記第２のビット情報は、上記ターゲットセルが非スタンドアローンをサポートするか否かを示し、
または、上記第１のビット情報は、上記ターゲットセルが非スタンドアローンをサポートするか否かを示し、上記第２のビット情報は、上記ターゲットセルがスタンドアローンをサポートするか否かを示す。
【０１３８】
本開示の実施例では、好ましくは、上記第２の決定モジュールは、さらに、
上記第１のビット情報の値が第１の値であり、及び／又は上記第２のビット情報の値が第２の値である場合、上記ターゲットセルがスタンドアローンをサポートすると決定することと、
上記第１のビット情報の値が第２の値であり、及び／又は上記第２のビット情報の値が第１の値である場合、上記ターゲットセルが非スタンドアローンをサポートすると決定することと、
上記第１のビット情報の値が第１の値であり、かつ上記第２のビット情報の値が第１の値である場合、上記ターゲットセルが非スタンドアローンとスタンドアローンをサポートすると決定することと、
上記第１のビット情報の値が第２の値であり、かつ上記第２のビット情報の値が第２の値である場合、上記ターゲットセルが第１のタイプをサポートすると決定することと、
ここで、上記第１のタイプのセルがブロードキャストするシステム情報にはＳＩＢ１が含まれておらず、
のうちのいずれか１項を実行する。
【０１３９】
本開示の実施例では、好ましくは、上記測定報告は、ＳＩＢ１の関連情報を含み、上記第２の決定モジュールは、さらに、上記ＳＩＢ１の関連情報がＳＩＢ１における内容が完全であることを示す場合、上記ターゲットセルがスタンドアローンをサポートすると決定し、そして上記ＳＩＢ１の関連情報がＳＩＢ１における内容が不完全であることを示す場合、上記ターゲットセルが非スタンドアローンをサポートすると決定する。
【０１４０】
本開示の実施例では、好ましくは、上記測定報告は、  ＳＩＢ１の関連情報と、第３のビット情報を含む第１の指示情報とを含み、上記第２の決定モジュールは、さらに上記ＳＩＢ１の関連情報がＳＩＢ１における内容が完全であることを示し、かつ上記第３のビット情報の値が第３の値である場合、上記ターゲットセルがスタンドアローンと非スタンドアローンをサポートすると決定する。
【０１４１】
本開示の実施例に係るネットワーク装置は、上記方法の実施例を実行でき、その実現原理及び技術的効果は同様であるため、ここでは説明を省略する。
【０１４２】
本発明の実施例は、さらに端末装置を提供し、端末装置が問題を解決する原理が、本開示の実施例におけるセルのサポートするネットワーキングタイプを決定する方法と同様であるため、該端末装置の実施は、方法の実施を参照でき、重複の説明を省略する。
【０１４３】
図１１を参照して、本開示の実施例に係る端末装置１１００は、
ＳＩＢ１の関連情報及び／又は第１の指示情報を含むターゲットセルの測定報告をネットワーク装置に送信することにより、上記ネットワーク装置が上記ＳＩＢ１の関連情報及び／又は上記第１の指示情報に基づいて、上記ターゲットセルのサポートするネットワーキングタイプを決定する第３の送信モジュール１１０１を含み、
上記第１の指示情報は、上記ターゲットセルのサポートするネットワーキングタイプを示す。
【０１４４】
本開示の実施例では、好ましくは、上記測定報告は、第１のビット情報及び／又は第２のビット情報を含む第１の指示情報を含み、
上記第１のビット情報は、上記ターゲットセルがスタンドアローンをサポートするか否かを示し、上記第２のビット情報は、上記ターゲットセルが非スタンドアローンをサポートするか否かを示し、
または、
上記第１のビット情報は、上記ターゲットセルが非スタンドアローンをサポートするか否かを示し、上記第２のビット情報は、上記ターゲットセルがスタンドアローンをサポートするか否かを示す。
【０１４５】
本開示の実施例では、好ましくは、上記第１のビット情報の値が第１の値であり、及び／又は上記第２のビット情報の値が第２の値である場合、上記ターゲットセルがスタンドアローンをサポートすることを示し、
上記第１のビット情報の値が第２の値であり、及び／又は上記第２のビット情報の値が第１の値である場合、上記ターゲットセルが非スタンドアローンをサポートすることを示し、
上記第１のビット情報の値が第１の値であり、かつ上記第２のビット情報の値が第１の値である場合、上記ターゲットセルが非スタンドアローンとスタンドアローンをサポートすることを示し、
上記第１のビット情報の値が第２の値であり、かつ上記第２のビット情報の値が第２の値である場合、上記ターゲットセルが第１のタイプをサポートすることを示し、
ここで、上記第１のタイプのセルがブロードキャストするシステム情報にはＳＩＢ１が含まれていない。
【０１４６】
本開示の実施例では、好ましくは、上記測定報告は、ＳＩＢ１の関連情報を含み、上記ＳＩＢ１の関連情報がＳＩＢ１における内容が完全であることを示す場合、上記ターゲットセルがスタンドアローンをサポートすることを示し、そして上記ＳＩＢ１の関連情報がＳＩＢ１における内容が不完全であることを示す場合、上記ターゲットセルが非スタンドアローンをサポートすることを示す。
【０１４７】
本開示の実施例では、好ましくは、上記測定報告は、上記ＳＩＢ１の関連情報と、第３のビット情報を含む第１の指示情報とを含み、上記ＳＩＢ１の関連情報がＳＩＢ１における内容が完全であることを示し、かつ上記第３のビット情報の値が第３の値である場合、上記ターゲットセルがスタンドアローンと非スタンドアローンをサポートすることを示す。
【０１４８】
本開示の実施例に係る端末装置は、上記方法の実施例を実行でき、その実現原理及び技術的効果は同様であるため、ここでは説明を省略する。
【０１４９】
本発明の実施例は、さらにネットワーク装置を提供し、ネットワーク装置が問題を解決する原理が、本開示の実施例におけるセルのサポートするネットワーキングタイプを決定する方法と同様であるため、該ネットワーク装置の実施は、方法の実施を参照でき、重複の説明を省略する。
【０１５０】
図１２を参照して、本開示の実施例に係るネットワーク装置１２００は、
端末装置から送信されたＳＩＢ１の関連情報を受信すると、上記ターゲットセルに接続確立要求を送信する第４の送信モジュール１２０１と、
上記ネットワーク装置と上記ターゲットセルとの接続確立に失敗した場合、上記ターゲットセルがスタンドアローンをサポートすると決定する第３の決定モジュール１２０２と、を含み、
または、
上記ターゲットセルから接続確立要求に応答する、上記ターゲットセルのサポートするネットワーキングタイプを示す第２の指示情報を含む第１のメッセージを受信する第４の受信モジュール１２０３と、
上記第２の指示情報に基づいて、上記ターゲットセルのサポートするネットワーキングタイプを決定する第４の決定モジュール１２０４と、を含む。
【０１５１】
本開示の実施例では、好ましくは、上記ネットワーク装置は、
上記ネットワーク装置と上記ターゲットセルとの接続確立に失敗した場合、上記ターゲットセルから第２のメッセージを受信する第５の受信モジュールをさらに含み、
上記第２のメッセージは、上記ターゲットセルがスタンドアローンをサポートすることを指示する、接続確立の失敗原因の関連情報を含む。
【０１５２】
本開示の実施例では、好ましくは、上記ネットワーク装置は、
上記ネットワーク装置と上記ターゲットセルとの接続確立に失敗した場合、上記接続確立要求に応答せず、かつ上記ターゲットセルがスタンドアローンをサポートすることを通知し、または、上記ネットワーク装置と上記ターゲットセルとの接続確立に失敗した場合、上記接続確立要求に応答しない処理モジュールをさらに含む。
【０１５３】
本開示の実施例では、好ましくは、上記第２の指示情報は、第３のビット情報及び／又は第４のビット情報を含み、
上記第３のビット情報は、上記ターゲットセルがスタンドアローンをサポートするか否かを示し、上記第４のビット情報は、上記ターゲットセルが非スタンドアローンをサポートするか否かを示し、または、上記第３のビット情報は、上記ターゲットセルが非スタンドアローンをサポートするか否かを示し、上記第４のビット情報は、上記ターゲットセルがスタンドアローンをサポートするか否かを示す。
【０１５４】
本開示の実施例では、好ましくは、上記第４の決定モジュールは、
上記第３のビット情報の値が第１の値であり、及び／又は上記第４のビット情報の値が第２の値である場合、上記ターゲットセルがスタンドアローンをサポートすると決定することと、
上記第３のビット情報の値が第２の値であり、及び／又は上記第４のビット情報の値が第１の値である場合、上記ターゲットセルが非スタンドアローンをサポートすると決定することと、
上記第３のビット情報の値が第１の値であり、かつ上記第４のビット情報の値が第１の値である場合、上記ターゲットセルが非スタンドアローンとスタンドアローンをサポートすると決定することと、
上記第３のビット情報の値が第２の値であり、かつ上記第４のビット情報の値が第２の値である場合、上記ターゲットセルのタイプが第１のタイプであると決定することと、
ここで、上記第１のタイプのセルがブロードキャストするシステム情報にＳＩＢ１が含まれておらず、
のうちのいずれか１項を実行する。
【０１５５】
本開示の実施例に係るネットワーク装置は、上記方法の実施例を実行でき、その実現原理及び技術的効果は同様であるため、ここでは説明を省略する。
【０１５６】
本発明の実施例は、さらに端末装置を提供し、端末装置が問題を解決する原理が、本開示の実施例におけるセルのサポートするネットワーキングタイプを決定する方法と同様であるため、該端末装置の実施は、方法の実施を参照でき、重複の説明を省略する。
【０１５７】
図１３を参照して、本開示の実施例に係る端末装置１３００は、
ネットワーク装置にターゲットセルのＳＩＢ１の関連情報を送信することにより、上記ネットワーク装置が上記ターゲットセルに接続確立要求を送信し、上記ネットワーク装置と上記ターゲットセルとの接続確立に失敗した場合、上記ネットワーク装置によって上記ターゲットセルがスタンドアローンをサポートすることを決定する第５の送信モジュール１３０１を含み、
または、
ネットワーク装置にターゲットセルのＳＩＢ１の関連情報を送信することにより、上記ネットワーク装置が上記ターゲットセルに接続確立要求を送信し、上記ネットワーク装置によって上記ターゲットセルから上記接続確立要求に応答する、上記ターゲットセルのサポートするネットワーキングタイプを示す第２の指示情報を含む第１のメッセージを受信し、そして上記ネットワーク装置によって上記第２の指示情報に基づいて、上記ターゲットセルのサポートするネットワーキングタイプを決定する第６の送信モジュール１３０２を含む。
【０１５８】
本開示の実施例では、好ましくは、上記第２の指示情報は、第３のビット情報及び／又は第４のビット情報を含み、
上記第３のビット情報は、上記ターゲットセルがスタンドアローンをサポートするか否かを示し、上記第４のビット情報は、上記ターゲットセルが非スタンドアローンをサポートするか否かを示し、
または、
上記第３のビット情報は、上記ターゲットセルが非スタンドアローンをサポートするか否かを示し、上記第４のビット情報は、上記ターゲットセルがスタンドアローンをサポートするか否かを示す。
【０１５９】
本開示の実施例では、好ましくは、上記第３のビット情報の値が第１の値であり、及び／又は上記第４のビット情報の値が第２の値である場合、上記ターゲットセルがスタンドアローンをサポートすることを示し、
上記第３のビット情報の値が第２の値であり、及び／又は上記第４のビット情報の値が第１の値である場合、上記ターゲットセルが非スタンドアローンをサポートすることを示し、
上記第３のビット情報の値が第１の値であり、かつ上記第４のビット情報の値が第１の値である場合、上記ターゲットセルが非スタンドアローンとスタンドアローンをサポートすることを示し、
上記第３のビット情報の値が第２の値であり、かつ上記第４のビット情報の値が第２の値である場合、上記ターゲットセルが第２のタイプをサポートすることを示し、
ここで、上記第２のタイプのセルがブロードキャストするシステム情報にはＳＩＢ１が含まれていない。
【０１６０】
本開示の実施例に係る端末装置は、上記方法の実施例を実行でき、その実現原理及び技術的効果は同様であるため、ここでは説明を省略する。
【０１６１】
図１４を参照して、図１４は、本開示の実施例に適用されるネットワーク装置の構成図であり、図１４に示すように、ネットワーク装置１４００は、プロセッサ１４０１、トランシーバ１４０２、メモリ１４０３及びバスインタフェースを含み、
本開示の１つの実施例では、ネットワーク装置１４００は、メモリ１４０３に記憶されてプロセッサ１４０１上で動作可能なコンピュータプログラムをさらに含み、
コンピュータプログラムがプロセッサ１４０１によって実行されると、本開示の実施例においてセルのサポートするネットワーキングタイプを決定する方法のステップが実現される。
【０１６２】
図１４において、バスアーキテクチャは、任意の数の相互接続されたバス及びブリッジを含んでよく、具体的には、プロセッサ１４０１を代表とする１つ以上のプロセッサ、メモリ１４０３を代表とするメモリの様々な回路によって接続される。バスアーキテクチャは、さらに、周辺装置、スタビライザ及びパワー管理回路などの様々なその他の回路を互いに接続してよく、これらは、いずれも本分野において既知のものであるため、本明細書においてさらなる説明を省略する。バスインタフェースは、インタフェースを提供する。トランシーバ１４０２は、複数の部品であってよく、即ち、送信機及び受信機を含み、伝送媒体で様々な他の装置と通信するためのユニットを提供する。
【０１６３】
プロセッサ１４０１は、バスアーキテクチャ及び一般的な処理の管理を担当し、メモリ１４０３は、プロセッサ１４０１が操作実行時に用いられるデータを記憶してよい。
【０１６４】
本開示の実施例に係るネットワーク装置は、上記方法の実施例を実行でき、その実現原理及び技術的効果は同様であるため、ここでは説明を省略する。
【０１６５】
図１５に示すように、図１５に示された端末装置１５００は、少なくとも１つのプロセッサ１５０１、メモリ１５０２、少なくとも１つのネットワークインタフェース１５０４及びユーザインタフェース１５０３を含む。端末装置１５００内の各部品は、バスシステム１５０５により接続されている。理解されるように、バスシステム１５０５は、これらの部品間の接続通信を実現する。バスシステム１５０５は、データバスに加えて、電力バス、制御バス及び状態信号バスをさらに含む。しかしながら、説明を明らかにするために、図１５において、様々なバスを全てバスシステム１５０５と表記する。
【０１６６】
ここで、ユーザインタフェース１５０３は、ディスプレイ、キーボード又はポインティング装置（例えば、マウス、トラックボール（ｔｒａｃｋｂａｌｌ））、タッチパッド又はタッチスクリーンなどを含んでよい。
【０１６７】
理解されるように、本開示の実施例におけるメモリ１５０２は、揮発性メモリ又は不揮発性メモリであってよく、または揮発性及び不揮発性メモリの両方を含んでよい。不揮発性メモリは、読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み出し専用メモリ（Ｅｒａｓａｂｌｅ  ＰＲＯＭ、ＥＰＲＯＭ）、電気的消去可能なプログラマブル読み出し専用メモリ（Ｅｌｅｃｔｒｉｃａｌｌｙ  ＥＰＲＯＭ、ＥＥＰＲＯＭ）又はフラッシュメモリであってよい。揮発性メモリは、外部キャッシュとして用いられるランダムアクセスメモリ（Ｒａｎｄｏｍ  Ａｃｃｅｓｓ  Ｍｅｍｏｒｙ、ＲＡＭ）であってよい。例であって限定するものではないが、スタティック・ランダム・アクセス・メモリ（Ｓｔａｔｉｃ  ＲＡＭ、ＳＲＡＭ）、ダイナミック・ランダム・アクセス・メモリ（Ｄｙｎａｍｉｃ  ＲＡＭ、ＤＲＡＭ）、シンクロナス・ダイナミック・ランダム・アクセス・メモリ（Ｓｙｎｃｈｒｏｎｏｕｓ  ＤＲＡＭ、ＳＤＲＡＭ）、ダブル・データ・レート・シンクロナス・ダイナミック・ランダム・アクセス・メモリ（Ｄｏｕｂｌｅ  Ｄａｔａ  ｒａｔｅ  ＳＤＲＡＭ、ＤＤＲＳＤＲＡＭ）、エンハンスド・シンクロナス・ダイナミック・ランダム・アクセス・メモリ（Ｅｎｈａｎｃｅｄ  ＳＤＲＡＭ、ＥＳＤＲＡＭ）、シンクリンク・ダイナミック・ランダム・アクセス・メモリ（Ｓｙｎｃｈｌｉｎｋ  ＤＲＡＭ、ＳＬＤＲＡＭ）及びダイレクト・ラムバス・ランダム・アクセス・メモリ（Ｄｉｒｅｃｔ  Ｒａｍｂｕｓ  ＲＡＭ、ＤＲＲＡＭ）などの多くの形態にあるＲＡＭが使用され得る。本開示の実施例に説明されるシステム及び方法のメモリ１５０２は、これらのメモリ及び適切なタイプの任意の他のメモリを含むが、これらに限定されない。
【０１６８】
いくつかの実施形態では、メモリ１５０２は、実行可能なモジュール又はデータ構造、又はそれらのサブセット、又はオペレーティングシステム１５０２１及びアプリケーションプログラム１５０２２であるそれらの拡張セットなどの要素を記憶する。
【０１６９】
オペレーティングシステム１５０２１は、様々な基本的なタスクを実現し、かつハードウェアベースによるタスクを処理する、フレームワーク層、コアライブラリ層、ドライバ層などの様々なシステムプログラムを含む。アプリケーションプログラム１５０２２は、様々なアプリケーションサービスを実現する、メディアプレーヤー（Ｍｅｄｉａ  Ｐｌａｙｅｒ）、ブラウザ（Ｂｒｏｗｓｅｒ）などの様々なアプリケーションプログラムを含む。本開示の実施例に係る方法を実現するためのプログラムは、アプリケーションプログラム１５０２２に含まれてよい。
【０１７０】
本開示の１つの実施例では、メモリ１５０２に記憶されたプログラム又は命令、具体的には、アプリケーションプログラム１５０２２に記憶されたプログラム又は命令を呼び出すことにより、実行中に、本開示の実施例においてセルのサポートするネットワーキングタイプを決定する方法のステップを実現する。
【０１７１】
本開示の実施例に係る端末装置は、上記方法の実施例を実行でき、その実現原理及び技術的効果は同様であるため、ここでは説明を省略する。
【０１７２】
本開示に開示された内容を参照して記載する方法又はアルゴリズムのステップは、ハードウェアの形態で実現されてもよく、プロセッサがソフトウェア命令を実行する形態で実現されてもよい。ソフトウェア命令は、対応するソフトウェアモジュールで構成されてよく、ソフトウェアモジュールは、ＲＡＭ、フラッシュメモリ、ＲＯＭ、ＥＰＲＯＭ、ＥＥＰＲＯＭ、レジスタ、ハードディスク、取り外し可能ハードディスク、読み出し専用ディスク又は当該技術分野における他の周知の任意の形態の記憶媒体に記憶されてよい。例示的な記憶媒体は、プロセッサが該記憶媒体から情報を読み取り、かつ情報を該記憶媒体に書き込むことができるように、プロセッサに結合される。もちろん、記憶媒体は、プロセッサの構成部分であってよい。プロセッサ及び記憶媒体は、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔｓ、ＡＳＩＣ）に位置してよい。さらに、該ＡＳＩＣは、コアネットワークインタフェース装置に位置してよい。もちろん、プロセッサ及び記憶媒体は、個別の部品としてコアネットワークインタフェース装置に存在してもよい。
【０１７３】
当業者であれば、上記１つ以上の例において、本開示に記載される機能がハードウェア、ソフトウェア、ファームウェア又はそれらの任意の組み合わせにより実現されてよいことを認識すべきである。ソフトウェアにより実現するとき、これらの機能を、コンピュータ読み取り可能な媒体に記憶してよいし、又はコンピュータ読み取り可能な媒体内の１つ以上の命令又はコードとして送信してよい。コンピュータ読み取り可能な媒体は、コンピュータ記憶媒体及び通信媒体を含み、通信媒体は、コンピュータプログラムを１つの場所から他の場所に送信することを可能にする任意の媒体を含む。記憶媒体は、汎用又は専用コンピュータがアクセス可能な任意の利用可能な媒体であってよい。
【０１７４】
以上の具体的な実施形態は、本開示の目的、技術手段及び有益な効果をさらに詳細に説明するが、以上は、本開示の具体的な実施形態に過ぎず、本開示の保護範囲を限定することを意図するものではないことが理解されるべきであり、また本開示の技術手段を基に行われる修正、同等置換、改良等は、全て本発明の保護範囲内に含まれるものとする。
【０１７５】
当業者であれば、本開示の実施例は、方法、システム又はコンピュータプログラム製品として提供できることを理解すべきである。したがって、本開示の実施例は、完全なハードウェアの実施例、完全なソフトウェアの実施例、又はソフトウェアとハードウェアを組み合わせた実施例の形態にすることができる。さらに、本開示の実施例は、コンピュータ上で使用可能なコンピュータプログラムコードを含む１つ以上のコンピュータ上で使用可能な記憶媒体（ディスクメモリ、ＣＤ−ＲＯＭ（Ｃｏｍｐａｃｔ  Ｄｉｓｃ  Ｒｅａｄ−Ｏｎｌｙ  Ｍｅｍｏｒｙ）、光メモリなどを含むが、それらに限定されない）に実施されるコンピュータプログラム製品の形態を利用できる。
【０１７６】
本開示の実施例は、本開示の実施例に係る方法、装置（システム）及びコンピュータプログラム製品のフローチャート及び／又はブロック図を参照して記載される。コンピュータプログラム命令によってフローチャート及び／又はブロック図における各フロー及び／又はブロック、及びフローチャート及び／又はブロック図におけるフロー及び／又はブロックの組み合わせを実現できることを理解すべきである。このようなコンピュータプログラム命令を、マシンを生成するために汎用コンピュータ、専用コンピュータ、埋め込み処理ユニット又は他のプログラマブルデータ処理装置のプロセッサへ提供することにより、コンピュータ又は他のプログラマブルデータ処理装置のプロセッサによって実行される命令は、フローチャートにおける１つ以上のフロー及び／又はブロック図における１つ以上のブロック内に規定される機能を実現する装置を生成することができる。
【０１７７】
これらのコンピュータプログラム命令をまた、コンピュータ又は他のプログラマブルデータ処理装置を特定の方式で機能するように誘導することができるコンピュータ読み取り可能なメモリに記憶できることにより、該コンピュータ読み取り可能なメモリ内に記憶される命令は、フローチャートにおける１つ以上のフロー及び／又はブロック図における１つ以上のブロック内に規定される機能を実現する命令装置を含む製品を生成することができる。
【０１７８】
これらのコンピュータプログラム命令をまた、コンピュータ又は他のプログラマブルデータ処理装置にロードできることにより、コンピュータ又は他のプログラマブル装置にコンピュータにより実現される処理を生成するために一連の操作ステップを実行すると、コンピュータ又は他のプログラマブル装置で実行される命令は、フローチャートにおける１つ以上のフロー及び／又はブロック図における１つ以上のブロックに規定される機能のステップを実現する。
【０１７９】
明らかに、当業者であれば、本開示の精神及び範囲から逸脱することなく、本開示の実施例に対して様々な修正及び変形を行うことができる。本開示の実施例は、それらの修正及び変形が、本開示の特許請求の範囲及びその均等物によって規定される保護範囲内に属するならば、本開示はそれらの修正及び変形を包含することを意図するものである。
【０１８０】
１０  ネットワーク装置
１１  端末装置
８００  ネットワーク装置
８０１  第１の受信モジュール
８０２  第１の決定モジュール
９００  端末装置
９０１  第２の送信モジュール
１０００  ネットワーク装置
１００１  第３の受信モジュール
１００２  第２の決定モジュール
１１００  端末装置
１１０１  第３の送信モジュール
１２００  ネットワーク装置
１２０１  第４の送信モジュール
１２０２  第３の決定モジュール
１２０３  第４の受信モジュール
１２０４  第４の決定モジュール
１３００  端末装置
１３０１  第５の送信モジュール
１３０２  第６の送信モジュール
１４００  ネットワーク装置
１４０１  プロセッサ
１４０２  トランシーバ
１４０３  メモリ
１５００  端末装置
１５０１  プロセッサ
１５０２  メモリ
１５０３  ユーザインタフェース
１５０４  ネットワークインタフェース
１５０５  バスシステム
１５０２１  オペレーティングシステム
１５０２２  アプリケーションプログラム
【図１】
2021534622.tif 000003
【図２】
2021534622.tif 000004
【図３】
2021534622.tif 000005
【図４】
2021534622.tif 000006
【図５】
2021534622.tif 000007
【図６】
2021534622.tif 000008
【図７】
2021534622.tif 000009
【図８】
2021534622.tif 000010
【図９】
2021534622.tif 000011
【図１０】
2021534622.tif 000012
【図１１】
2021534622.tif 000013
【図１２】
2021534622.tif 000014
【図１３】
2021534622.tif 000015
【図１４】
2021534622.tif 000016
【図１５】
2021534622.tif 000017
【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
ネットワーク装置に適用される、セルのサポートするネットワーキングタイプを決定する方法であって、
端末装置から送信されたＳＩＢ１の関連情報を受信すると、前記ターゲットセルに接続確立要求を送信することと、
前記ネットワーク装置と前記ターゲットセルとの接続確立に失敗した場合、前記ターゲットセルがスタンドアローンをサポートすると決定することと、を含み、または、
前記ターゲットセルから前記接続確立要求に応答する、前記ターゲットセルのサポートするネットワーキングタイプを示す第２の指示情報を含む第１のメッセージを受信することと、
前記第２の指示情報に基づいて、前記ターゲットセルのサポートするネットワーキングタイプを決定することと、を含む、セルのサポートするネットワーキングタイプを決定する方法。
【請求項２】
前記ネットワーク装置と前記ターゲットセルとの接続確立に失敗した場合、前記ターゲットセルから第２のメッセージを受信することをさらに含み、
前記第２のメッセージは、前記ターゲットセルがスタンドアローンをサポートすることを指示する、接続確立の失敗原因の関連情報を含む、請求項１に記載の方法。
【請求項３】
前記ネットワーク装置と前記ターゲットセルとの接続確立に失敗した場合、前記接続確立要求に応答せず、かつ前記ターゲットセルがスタンドアローンをサポートすることを通知することをさらに含み、または、
前記ネットワーク装置と前記ターゲットセルとの接続確立に失敗した場合、前記接続確立要求に応答しないことをさらに含む、請求項１に記載の方法。
【請求項４】
前記第２の指示情報は、第３のビット情報及び／又は第４のビット情報を含み、
前記第３のビット情報は、前記ターゲットセルがスタンドアローンをサポートするか否かを示し、前記第４のビット情報は、前記ターゲットセルが非スタンドアローンをサポートするか否かを示し、
または、
前記第３のビット情報は、前記ターゲットセルが非スタンドアローンをサポートするか否かを示し、前記第４のビット情報は、前記ターゲットセルがスタンドアローンをサポートするか否かを示す、請求項１に記載の方法。
【請求項５】
前記第２の指示情報に基づいて、前記ターゲットセルのサポートするネットワーキングタイプを決定することは、
前記第３のビット情報の値が第１の値であり、及び／又は前記第４のビット情報の値が第２の値である場合、前記ターゲットセルがスタンドアローンをサポートすると決定することと、
前記第３のビット情報の値が第２の値であり、及び／又は前記第４のビット情報の値が第１の値である場合、前記ターゲットセルが非スタンドアローンをサポートすると決定することと、
前記第３のビット情報の値が第１の値であり、かつ前記第４のビット情報の値が第１の値である場合、前記ターゲットセルが非スタンドアローンとスタンドアローンをサポートすると決定することと、
前記第３のビット情報の値が第２の値であり、かつ前記第４のビット情報の値が第２の値である場合、前記ターゲットセルが第２のタイプをサポートすると決定することと、
ここで、前記第２のタイプのセルがブロードキャストするシステム情報にはＳＩＢ１が含まれておらず、
のうちのいずれか１項を少なくとも含む、請求項４に記載の方法。
【請求項６】
ネットワーク装置に適用される、セルのサポートするネットワーキングタイプを決定する方法であって、
システム情報ブロック１  ＳＩＢ１の関連情報及び／又はターゲットセルのサポートするネットワーキングタイプを示す第１の指示情報を含む前記ターゲットセルの測定報告を受信することと、
前記ＳＩＢ１の関連情報及び／又は前記第１の指示情報に基づいて、前記ターゲットセルのサポートするネットワーキングタイプを決定することと、
を含む、セルのサポートするネットワーキングタイプを決定する方法。
【請求項７】
前記測定報告は、第１のビット情報及び／又は第２のビット情報を含む前記第１の指示情報を含み、
前記第１のビット情報は、前記ターゲットセルがスタンドアローンをサポートするか否かを示し、前記第２のビット情報は、前記ターゲットセルが非スタンドアローンをサポートするか否かを示し、
または、前記第１のビット情報は、前記ターゲットセルが非スタンドアローンをサポートするか否かを示し、前記第２のビット情報は、前記ターゲットセルがスタンドアローンをサポートするか否かを示し、
または、
前記測定報告は、ＳＩＢ１の関連情報を含み、
前記ＳＩＢ１の関連情報に基づいて、前記ターゲットセルのサポートするネットワーキングタイプを決定することは、
前記ＳＩＢ１の関連情報がＳＩＢ１における内容が完全であることを示す場合、前記ターゲットセルがスタンドアローンをサポートすると決定することと、
前記ＳＩＢ１の関連情報がＳＩＢ１における内容が不完全であることを示す場合、前記ターゲットセルが非スタンドアローンをサポートすると決定することと、
のうちのいずれか１項を少なくとも含み、
または、
前記測定報告は、ＳＩＢ１の関連情報と、第３のビット情報を含む第１の指示情報とを含み、
前記システム情報及び第１の情報に基づいて、前記ターゲットセルのサポートするネットワーキングタイプを決定することは、
前記ＳＩＢ１の関連情報がＳＩＢ１における内容が完全であることを示し、かつ前記第３のビット情報の値が第３の値である場合、前記ターゲットセルがスタンドアローンと非スタンドアローンをサポートすると決定することを少なくとも含む、請求項６に記載の方法。
【請求項８】
前記第１の指示情報に基づいて、前記ターゲットセルのサポートするネットワーキングタイプを決定することは、
前記第１のビット情報の値が第１の値であり、及び／又は前記第２のビット情報の値が第２の値である場合、前記ターゲットセルがスタンドアローンをサポートすると決定することと、
前記第１のビット情報の値が第２の値であり、及び／又は前記第２のビット情報の値が第１の値である場合、前記ターゲットセルが非スタンドアローンをサポートすると決定することと、
前記第１のビット情報の値が第１の値であり、かつ前記第２のビット情報の値が第１の値である場合、前記ターゲットセルが非スタンドアローンとスタンドアローンをサポートすると決定することと、
前記第１のビット情報の値が第２の値であり、かつ前記第２のビット情報の値が第２の値である場合、前記ターゲットセルが第１のタイプをサポートすると決定することと、
ここで、前記第１のタイプのセルがブロードキャストするシステム情報にはＳＩＢ１が含まれておらず、
のうちのいずれか１項を少なくとも含む、請求項７に記載の方法。
【請求項９】
端末装置に適用される、セルのサポートするネットワーキングタイプを決定する方法であって、
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定することを含み、
前記第１の指示情報は、前記ターゲットセルのサポートするネットワーキングタイプを示す、セルのサポートするネットワーキングタイプを決定する方法。
【請求項１０】
前記測定報告は、第１のビット情報及び／又は第２のビット情報を含む第１の指示情報を含み、
前記第１のビット情報は、前記ターゲットセルがスタンドアローンをサポートするか否かを示し、前記第２のビット情報は、前記ターゲットセルが非スタンドアローンをサポートするか否かを示し、
または、前記第１のビット情報は、前記ターゲットセルが非スタンドアローンをサポートするか否かを示し、前記第２のビット情報は、前記ターゲットセルがスタンドアローンをサポートするか否かを示し、
または、
前記測定報告は、ＳＩＢ１の関連情報を含み、
前記ＳＩＢ１の関連情報がＳＩＢ１における内容が完全であることを示す場合、前記ターゲットセルがスタンドアローンをサポートすることを示し、
前記ＳＩＢ１の関連情報がＳＩＢ１における内容が不完全であることを示す場合、前記ターゲットセルが非スタンドアローンをサポートすることを示し、
または、
前記測定報告は、前記ＳＩＢ１の関連情報と、第３のビット情報を含む第１の指示情報とを含み、
前記ＳＩＢ１の関連情報がＳＩＢ１における内容が完全であることを示し、かつ前記第３のビット情報の値が第３の値である場合、前記ターゲットセルがスタンドアローンと非スタンドアローンをサポートすることを示す、請求項９に記載の方法。
【請求項１１】
前記第１のビット情報の値が第１の値であり、及び／又は前記第２のビット情報の値が第２の値である場合、前記ターゲットセルがスタンドアローンをサポートすることを示し、
前記第１のビット情報の値が第２の値であり、及び／又は前記第２のビット情報の値が第１の値である場合、前記ターゲットセルが非スタンドアローンをサポートすることを示し、
前記第１のビット情報の値が第１の値であり、かつ前記第２のビット情報の値が第１の値である場合、前記ターゲットセルが非スタンドアローンとスタンドアローンをサポートすることを示し、
前記第１のビット情報の値が第２の値であり、かつ前記第２のビット情報の値が第２の値である場合、前記ターゲットセルが第１のタイプをサポートすることを示し、
ここで、前記第１のタイプのセルがブロードキャストするシステム情報にはＳＩＢ１が含まれていない、請求項１０に記載の方法。
【請求項１２】
端末装置に適用される、セルのサポートするネットワーキングタイプを決定する方法であって、
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定することと、を含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定することと、を含む、セルのサポートするネットワーキングタイプを決定する方法。
【請求項１３】
ＳＩＢ１の関連情報及び／又はターゲットセルのサポートするネットワーキングタイプを示す第１の指示情報を含む前記ターゲットセルの測定報告を受信する第３の受信モジュールと、
前記ＳＩＢ１の関連情報及び／又は前記第１の指示情報に基づいて、前記ターゲットセルのサポートするネットワーキングタイプを決定する第２の決定モジュールと、を含む、ネットワーク装置。
【請求項１４】
ＳＩＢ１の関連情報及び／又は第１の指示情報を含むターゲットセルの測定報告をネットワーク装置に送信することにより、前記ネットワーク装置が前記ＳＩＢ１の関連情報及び／又は前記第１の指示情報に基づいて、前記ターゲットセルのサポートするネットワーキングタイプを決定する第３の送信モジュールを含み、
前記第１の指示情報は、前記ターゲットセルのサポートするネットワーキングタイプを示す、端末装置。
【請求項１５】
端末装置から送信されたＳＩＢ１の関連情報を受信すると、前記ターゲットセルに接続確立要求を送信する第４の送信モジュールと、
前記ネットワーク装置と前記ターゲットセルとの接続確立に失敗した場合、前記ターゲットセルがスタンドアローンをサポートすると決定する第３の決定モジュールと、を含み、
または、
前記ターゲットセルから前記接続確立要求に応答する、前記ターゲットセルのサポートするネットワーキングタイプを示す第２の指示情報を含む第１のメッセージを受信する第４の受信モジュールと、
前記第２の指示情報に基づいて、前記ターゲットセルのサポートするネットワーキングタイプを決定する第４の決定モジュールと、を含む、ネットワーク装置。
【請求項１６】
ネットワーク装置にターゲットセルのＳＩＢ１の関連情報を送信することにより、前記ネットワーク装置が前記ターゲットセルに接続確立要求を送信し、前記ネットワーク装置と前記ターゲットセルとの接続確立に失敗した場合、前記ネットワーク装置によって前記ターゲットセルがスタンドアローンをサポートすることを決定する第５の送信モジュールを含み、
または、
ネットワーク装置にターゲットセルのＳＩＢ１の関連情報を送信することにより、前記ネットワーク装置が前記ターゲットセルに接続確立要求を送信し、前記ネットワーク装置によって前記ターゲットセルから前記接続確立要求に応答する、前記ターゲットセルのサポートするネットワーキングタイプを示す第２の指示情報を含む第１のメッセージを受信し、そして前記ネットワーク装置によって前記第２の指示情報に基づいて、前記ターゲットセルのサポートするネットワーキングタイプを決定する第６の送信モジュールを含む、端末装置。
【国際調査報告】
2021534622.tif 000018
2021534622.tif 000019
2021534622.tif 000020
2021534622.tif 000021